(57)【要約】【課題】空気調和機の圧縮機における液冷媒の発生に起因する不具合を防止する。【解決手段】暖房時に、冷媒の圧縮機３１からの吐出温度Ｔｄと冷媒の室内熱交換器２１の所定位置における温度Ｔｉとの差ΔＴｈ＝ｔｄ−Ｔｉが予め定められた暖房時閾値αｈ未満（ΔＴｈ＜αｈ）である場合に冷媒が圧縮機内で液体状態になる液冷媒発生エラーが生じていると判定する。【選択図】図１
2017096543.tif 000002
【特許請求の範囲】
【請求項１】
冷媒を圧縮する圧縮機と、冷媒と室内空気との熱交換を行う室内熱交換器と、冷媒を膨張させる膨張弁と、冷媒と室外空気との熱交換を行う室外熱交換器とからなる冷媒回路を有し、前記冷媒を前記圧縮機、前記室内熱交換器、前記膨張弁、前記室外熱交換器の順に循環させることで室内空気の暖房を行う暖房機能を備えた空気調和機であって、
暖房時に、前記冷媒の前記圧縮機からの吐出温度と前記冷媒の前記室内熱交換器の所定位置における温度との差に基づいて、前記冷媒が前記圧縮機内で液冷媒になる状態である液冷媒発生エラーの発生有無を判定する判定処理を行う制御部を備えていることを特徴とする空気調和機。
【請求項２】
前記冷媒回路における前記冷媒の流れ方向を切り替える方向切替部を備え、
前記冷媒を前記圧縮機、前記室外熱交換器、前記膨張弁、前記室内熱交換器の順に循環させることで室内空気の冷房を行う冷房機能を有し、
前記制御部は、冷房時に、前記冷媒の前記圧縮機からの吐出温度と前記冷媒の前記室外熱交換器の所定位置における温度との差に基づいて前記液冷媒発生エラーの発生有無を判定する判定処理を行うことを特徴とする請求項１に記載の空気調和機。
【請求項３】
冷媒を圧縮する圧縮機と、冷媒と室内空気との熱交換を行う室内熱交換器と、冷媒を膨張させる膨張弁と、冷媒と室外空気との熱交換を行う室外熱交換器とからなる冷媒回路を有し、前記冷媒を前記圧縮機、前記室外熱交換器、前記膨張弁、前記室内熱交換器の順に循環させることで室内空気の冷房を行う冷房機能を備えた空気調和機であって、
冷房時に、前記冷媒の前記圧縮機からの吐出温度と前記冷媒の前記室外熱交換器の所定位置における温度との差に基づいて、前記冷媒が前記圧縮機内で液冷媒になる状態である液冷媒発生エラーの発生有無を判定する判定処理を行う制御部を備えていることを特徴とする空気調和機。
【請求項４】
前記制御部は、
暖房時、前記圧縮機の吐出圧力における前記冷媒の飽和温度である限界吐出圧力飽和温度と前記冷媒の前記室内熱交換器の所定位置における温度との差が所定の暖房時閾値未満になったときに、前記圧縮機による前記冷媒の圧縮を停止させ、前記判定処理を行うことを特徴とする請求項１または２に記載の空気調和機。
【請求項５】
前記制御部は、
冷房時、前記圧縮機の吐出圧力における前記冷媒の飽和温度である限界吐出圧力飽和温度と前記冷媒の前記室外熱交換器の所定位置における温度との差が冷房時閾値未満になったときに、前記圧縮機による前記冷媒の圧縮を停止させ、前記判定処理を行うことを特徴とする請求項２または３に記載の空気調和機。
【請求項６】
前記制御部は、
予め設定された圧縮機停止条件が生じた場合に前記圧縮機による前記冷媒の圧縮を停止させ、
前記判定処理を、前記圧縮機による前記冷媒の圧縮を停止させたときに行うことを特徴とする請求項１から５のいずれか１項に記載の空気調和機。
【請求項７】
前記制御部は、
予め設定された圧縮機停止条件が生じた場合に前記圧縮機による前記冷媒の圧縮を停止させて再起動させる再起動処理を所定回数行い、
前記再起動処理を所定回数行った後、前記圧縮機停止条件が再度生じた場合に、前記判定処理を行うことを特徴とする請求項１から５のいずれか１項に記載の空気調和機。
【請求項８】
前記制御部は、
暖房時、前記冷媒の前記圧縮機からの吐出温度と前記冷媒の前記室内熱交換器の所定位置における温度との差が予め定められた暖房時エラー判定閾値未満である場合に、直近の所定時間以内に前記差が前記暖房時エラー判定閾値以上になったか否かを判断し、前記暖房時エラー判定閾値以上になったと判断した場合には前記判定処理を行わないことを特徴とする請求項１または２に記載の空気調和機。
【請求項９】
前記制御部は、
冷房時、前記冷媒の前記圧縮機からの吐出温度と前記冷媒の前記室外熱交換器の所定位置における温度との差が予め定められた冷房時エラー判定閾値未満である場合に、直近の所定時間以内に前記差が前記冷房時エラー判定閾値以上になったか否かを判断し、前記冷房時エラー判定閾値以上になったと判断した場合には前記判定処理を行わないことを特徴とする請求項２または３に記載の空気調和機。
【請求項１０】
前記制御部は、
暖房時、前記冷媒の前記圧縮機からの吐出温度と前記冷媒の前記室内熱交換器の所定位置における温度との差が予め定められた暖房時エラー判定閾値未満になった場合に、前記膨張弁の開度を狭くする開度調整処理を行い、
前記開度調整処理を所定回数行っても前記差が前記暖房時エラー判定閾値未満である場合に、前記液冷媒発生エラーが生じていると判定することを特徴とする請求項１または２に記載の空気調和機。
【請求項１１】
前記制御部は、
冷房時、前記冷媒の前記圧縮機からの吐出温度と前記冷媒の前記室外熱交換器の所定位置における温度との差が予め定められた冷房時エラー判定閾値未満になった場合に、前記膨張弁の開度を狭くする開度調整処理を行い、
前記開度調整処理を所定回数行っても前記差が前記冷房時エラー判定閾値未満である場合に、前記液冷媒発生エラーが生じていると判定することを特徴とする請求項２または３に記載の空気調和機。
【請求項１２】
室内空気を吸い込む吸込口と、前記吸込口から吸い込まれた室内空気中の塵芥を除去するフィルタと、前記冷媒と前記フィルタを通過して供給される室内空気との熱交換を行う前記室内熱交換器と、前記室内熱交換器で熱交換された前記室内空気を室内に吹き出す吹出口と、前記吸込口から室内空気を吸引して前記吹出口から排出させるための空気流を生じさせるファンと、前記フィルタの清掃を行うフィルタ清掃装置とを備え、
前記制御部は、
暖房時、前記冷媒の前記圧縮機からの吐出温度と前記冷媒の前記室内熱交換器の所定位置における温度との差が予め定められた暖房時エラー判定閾値未満になった場合に、前記フィルタ清掃装置に前記フィルタの清掃を実行させ、
前記フィルタの清掃を行っても前記差が前記暖房時エラー判定閾値未満である場合に、前記液冷媒発生エラーが生じていると判定することを特徴とする請求項１または２に記載の空気調和機。
【請求項１３】
室内空気を吸い込む吸込口と、前記吸込口から吸い込まれた室内空気中の塵芥を除去するフィルタと、前記冷媒と前記フィルタを通過して供給される室内空気との熱交換を行う前記室内熱交換器と、前記室内熱交換器で熱交換された前記室内空気を室内に吹き出す吹出口と、前記吸込口から室内空気を吸引して前記吹出口から排出させるための空気流を生じさせるファンと、前記フィルタの清掃を行うフィルタ清掃装置とを備え、
前記制御部は、
冷房時、前記冷媒の前記圧縮機からの吐出温度と前記冷媒の前記室外熱交換器の所定位置における温度との差が予め定められた冷房時エラー判定閾値未満になった場合に、前記フィルタ清掃装置に前記フィルタの清掃を実行させ、
前記フィルタの清掃を行っても前記差が前記冷房時エラー判定閾値未満である場合に、前記液冷媒発生エラーが生じていると判定することを特徴とする請求項２または３に記載の空気調和機。
【請求項１４】
室内空気を吸い込む吸込口と、前記冷媒と前記吸込口から吸い込まれた室内空気との熱交換を行う前記室内熱交換器と、前記室内熱交換器で熱交換された室内空気を室内に吹き出す吹出口と、前記吸込口から室内空気を吸引して前記吹出口から排出させるための空気流を生じさせるファンとを備え、
前記制御部は、
暖房時、前記冷媒の前記圧縮機からの吐出温度と前記冷媒の前記室内熱交換器の所定位置における温度との差が予め定められた暖房時エラー判定閾値未満になった場合に、前記ファンの回転数を増加させ、
前記ファンの回転数を増加させても前記差が前記暖房時エラー判定閾値未満である場合に、前記液冷媒発生エラーが生じていると判定することを特徴とする請求項１または２に記載の空気調和機。
【請求項１５】
室内空気を吸い込む吸込口と、前記冷媒と前記吸込口から吸い込まれた室内空気との熱交換を行う前記室内熱交換器と、前記室内熱交換器で熱交換された室内空気を室内に吹き出す吹出口と、前記吸込口から室内空気を吸引して前記吹出口から排出させるための空気流を生じさせるファンとを備え、
前記制御部は、
冷房時、前記冷媒の前記圧縮機からの吐出温度と前記冷媒の前記室外熱交換器の所定位置における温度との差が予め定められた冷房時エラー判定閾値未満になった場合に、前記ファンの回転数を増加させ、
前記ファンの回転数を増加させても前記差が前記冷房時エラー判定閾値未満である場合に、前記液冷媒発生エラーが生じていると判定することを特徴とする請求項２または３に記載の空気調和機。
【請求項１６】
室内空気を吸い込む吸込口と、前記冷媒と前記吸込口から吸い込まれた室内空気との熱交換を行う前記室内熱交換器と、前記室内熱交換器で熱交換された室内空気を室内に吹き出す吹出口と、前記吸込口から室内空気を吸引して前記吹出口から排出させるための空気流を生じさせるファンと、前記吹出口から吹き出される室内空気の風向を調整する風向調整部とを備え、
前記制御部は、
暖房時、前記冷媒の前記圧縮機からの吐出温度と前記冷媒の前記室内熱交換器の所定位置における温度との差が予め定められた暖房時エラー判定閾値未満になった場合に、前記風向調整部の動作を制御して前記室内空気の流動抵抗が小さくなるように前記室内空気の風向を調整させ、
前記室内空気の風向を調整しても前記差が前記暖房時エラー判定閾値未満である場合に、前記液冷媒発生エラーが生じていると判定することを特徴とする請求項１または２に記載の空気調和機。
【請求項１７】
室内空気を吸い込む吸込口と、前記冷媒と前記吸込口から吸い込まれた室内空気との熱交換を行う前記室内熱交換器と、前記室内熱交換器で熱交換された室内空気を室内に吹き出す吹出口と、前記吸込口から室内空気を吸引して前記吹出口から排出させるための空気流を生じさせるファンと、前記吹出口から吹き出される室内空気の風向を調整する風向調整部とを備え、
前記制御部は、
冷房時、前記冷媒の前記圧縮機からの吐出温度と前記冷媒の前記室外熱交換器の所定位置における温度との差が予め定められた冷房時エラー判定閾値未満になった場合に、前記風向調整部の動作を制御して前記室内空気の流動抵抗が小さくなるように前記室内空気の風向を調整させ、
前記室内空気の風向を調整しても前記差が前記冷房時エラー判定閾値未満である場合に、前記液冷媒発生エラーが生じていると判定することを特徴とする請求項２または３に記載の空気調和機。
【請求項１８】
前記液冷媒発生エラーの発生をユーザに報知するための報知部を備え、
前記制御部は、前記液冷媒発生エラーが生じていると判定した場合に、前記報知部を制御して前記液冷媒発生エラーの発生をユーザに報知させることを特徴とする請求項１から１７のいずれか１項に記載の空気調和機。
【発明の詳細な説明】
【技術分野】
【０００１】
本発明は、空気調和機に関するものである。
【背景技術】
【０００２】
従来、圧縮機と、室内熱交換器を備えた室内機と、膨張弁と、室外熱交換器を備えた室外機とからなる冷媒回路を備え、室内熱交換器で室内空気と冷媒との熱交換を行うことにより冷房あるいは暖房を行う空気調和機が普及している。
【０００３】
ところで、空気調和機に備えられる圧縮機は、一般に、気体状態の冷媒を圧縮するように設計されているが、運転条件によっては冷媒温度が凝縮温度より低くなり、圧縮機内部で冷媒が液体状態（いわゆる液冷媒）になってしまう場合がある。そして、圧縮機内部で冷媒が液体状態になると、圧縮機底部に存在する圧縮機構の潤滑のための潤滑油と液体状態の冷媒とが混合されて潤滑油の液面が上昇し、圧縮機構の潤滑不良や潤滑油の流出などの不具合が生じる場合がある。
【０００４】
このような不具合を防止するための技術として、例えば特許文献１には、圧縮機の起動時に圧縮機の温度が低い場合ほど圧縮機の運転周波数を高くする技術が開示されている。すなわち、特許文献１の技術では、圧縮機の運転周波数を高くすることにより圧縮機に与える熱量を大きくし、圧縮機の構造体の温度を圧縮機内の冷媒の凝縮温度より高くすることにより、圧縮機内での液冷媒の発生を抑制している。
【先行技術文献】
【特許文献】
【０００５】
【特許文献１】特開２０１１−２２６７２４号公報（２０１１年１１月１０日公開）
【発明の概要】
【発明が解決しようとする課題】
【０００６】
しかしながら、特許文献１の技術では、例えば運転中に室内機のフィルタが目詰まりしたり室内機の空気取入口が障害物等により塞がれたりして空気流量が低下した場合に、液冷媒の発生を防止できない場合がある。すなわち、フィルタの目詰まり等により室内熱交換器における空気流量が低下して熱交換効率が低下した場合、特許文献１のように圧縮機の運転周波数を高くすると、圧縮機における冷媒の圧力が上昇して凝縮温度が上がるので、液冷媒の発生を適切に防止できない場合がある。
【０００７】
本発明は、上記の問題点に鑑みて成されたものであり、その目的は、空気調和機に備えられる圧縮機における液冷媒の発生に起因する不具合を防止することにある。
【課題を解決するための手段】
【０００８】
本発明の一態様にかかる空気調和機は、冷媒を圧縮する圧縮機と、冷媒と室内空気との熱交換を行う室内熱交換器と、冷媒を膨張させる膨張弁と、冷媒と室外空気との熱交換を行う室外熱交換器とからなる冷媒回路を有し、前記冷媒を前記圧縮機、前記室内熱交換器、前記膨張弁、前記室外熱交換器の順に循環させることで室内空気の暖房を行う空気調和機であって、暖房時に、前記冷媒の前記圧縮機からの吐出温度と前記冷媒の前記室内熱交換器の所定位置における温度との差に基づいて、前記冷媒が前記圧縮機内で液冷媒になる状態である液冷媒発生エラーの発生有無を判定する判定処理を行う制御部を備えていることを特徴としている。
【０００９】
また、本発明の他の態様にかかる空気調和機は、冷媒を圧縮する圧縮機と、冷媒と室内空気との熱交換を行う室内熱交換器と、冷媒を膨張させる膨張弁と、冷媒と室外空気との熱交換を行う室外熱交換器とからなる冷媒回路を有し、前記冷媒を前記圧縮機、前記室外熱交換器、前記膨張弁、前記室内熱交換器の順に循環させることで室内空気の冷房を行う冷房機能を備えた空気調和機であって、冷房時に、前記冷媒の前記圧縮機からの吐出温度と前記冷媒の前記室外熱交換器の所定位置における温度との差に基づいて、前記冷媒が前記圧縮機内で液冷媒になる状態である液冷媒発生エラーの発生有無を判定する判定処理を行う制御部を備えていることを特徴としている。
【発明の効果】
【００１０】
上記の各構成によれば、冷媒が圧縮機内で液冷媒になる状態である液冷媒発生エラーの発生有無を容易かつ適切に判定することができる。これにより、液冷媒に起因する圧縮機構の潤滑不良や潤滑油の流出などの不具合が生じることを防止できる。
【図面の簡単な説明】
【００１１】
【図１】本発明の実施形態１にかかる空気調和機の概略構成を示す説明図である。
【図２】図１に示した空気調和機に備えられる室内機の斜視図である。
【図３】図１に示した空気調和機に備えられる室内機の正面図である。
【図４】図１に示した空気調和機に備えられる室内機の断面図である。
【図５】図１に示した空気調和機の室内機に備えられるフィルタ清掃装置の分解斜視図である。
【図６】図１に示した空気調和機の室内機に備えられるフィルタ清掃装置の断面図である。
【図７】（ａ）は図１に示した空気調和機の室内機に備えられるフィルタの表面側の斜視図であり、（ｂ）は上記フィルタの裏面側の斜視図である。
【図８】図１に示した空気調和機の室内機に備えられる表示部の正面図である。
【図９】図１に示した空気調和機にユーザが指示入力を行うためのリモコンの正面図である。
【図１０】図１に示した空気調和機の制御系の構成を示す説明図である。
【図１１】図１に示した空気調和機の制御部が行う判定処理の流れを示すフローチャートである。
【図１２】本発明の実施形態２にかかる空気調和機の制御部が行う判定処理の流れを示すフローチャートである。
【図１３】本発明の実施形態３にかかる空気調和機の制御部が行う判定処理の流れを示すフローチャートである。
【図１４】本発明の実施形態４にかかる空気調和機の制御部が行う判定処理の流れを示すフローチャートである。
【図１５】本発明の実施形態５にかかる空気調和機の制御部が行う判定処理の流れを示すフローチャートである。
【図１６】本発明の実施形態６にかかる空気調和機の制御部が行う判定処理の流れを示すフローチャートである。
【図１７】本発明の実施形態７にかかる空気調和機の制御部が行う判定処理の流れを示すフローチャートである。
【図１８】本発明の実施形態８にかかる空気調和機の制御部が行う判定処理の流れを示すフローチャートである。
【図１９】（ａ）は本発明の実施形態９にかかる空気調和機においてユーザが選択可能な風量設定を示す説明図であり、（ｂ）は上記空気調和機においてユーザが選択可能な上下方向についての風向設定を示す説明図であり、（ｃ）は上記空気調和機においてユーザが選択可能な水平方向についての風向設定を示す説明図である。
【図２０】本発明の実施形態９にかかる空気調和機の制御部が行う判定処理の流れを示すフローチャートである。
【発明を実施するための形態】
【００１２】
〔実施形態１〕
本発明の実施形態１について説明する。
【００１３】
（１−１．空気調和機１の全体構成）
図１は、本実施形態にかかる空気調和機１の概略構成を示す説明図である。この図に示すように、空気調和機１は、室内機２と室外機３とを備えている。また、室内機２は室内熱交換器２１と室内熱交換器温度センサ２２とを備えている。また、室外機３は、圧縮機３１、圧縮機温度センサ３２、四方弁３３、三方弁３４、二方弁３５、膨張弁３６、室外熱交換器３７、室外機ファン３８、および室外熱交換器温度センサ３９を備えている。また、圧縮機３１、四方弁３３、三方弁３４、室内熱交換器２１、二方弁３５、膨張弁３６、および室外熱交換器３７は、冷媒配管４によって連結され、内部に作動流体としての冷媒が封入されたクローズドサイクルの冷媒回路５が形成されている。
【００１４】
圧縮機３１は、冷媒を圧縮して冷媒配管４に吐出するものである。圧縮機３１としては、例えば、ロータリ圧縮機あるいはスクロール圧縮機などが用いられる。なお、本実施形態では、冷媒としてＲ３２を用いているが、冷媒の材質はこれに限るものではなく、例えばＲ４１０，Ｒ２２，ＣＯ２などを用いてもよい。
【００１５】
圧縮機温度センサ３２は、圧縮機３１から吐出される冷媒の温度（吐出温度）を検出して後述する制御部１５０に伝達する。
【００１６】
四方弁（方向切替部）３３は、冷媒回路５内の冷媒の流れ方向（循環方向）を冷房運転時と暖房運転時とで切り替えるためのものである。具体的には、四方弁３３は、暖房運転時には、冷媒を圧縮機３１、室内熱交換器２１、膨張弁３６、室外熱交換器３７の順に循環させるように切り替えられる。また、四方弁３３は、冷房運転時には、冷媒を圧縮機３１、室外熱交換器３７、膨張弁３６、室内熱交換器２１の順に循環させるように切り替えられる。なお、本実施形態にかかる空気調和機１は、冷房モード、除湿モード、および暖房モードを備えているが、以下の説明では、冷房モードの運転および除湿モードの運転を総称して冷房運転と称する。
【００１７】
三方弁３４は、四方弁３３と室内熱交換器２１との間の冷媒配管４に備えられ、四方弁３３と室内熱交換器２１との間の冷媒配管４を開状態と閉状態とに切り替えるものであり、通常使用時には開状態に維持される。また、三方弁３４には、空気調和機１の設置時に冷媒回路５内の空気を吸引して真空状態にする処理を行う際に真空ポンプが接続されるようになっている。
【００１８】
室内熱交換器２１は、室内機２に備えられており、室内空気と冷媒との熱交換を行うことにより、室内空気を冷却あるいは加熱する。なお、室内機２の詳細については後述する。
【００１９】
室内熱交換器温度センサ２２は、室内熱交換器２１の所定位置における冷媒の温度を検出して後述する制御部１５０に伝達する。なお、本実施形態では、室内熱交換器温度センサ２２は、室内熱交換器２１内の冷媒流路の中間部分（冷媒の温度が室内熱交換器２１に流入する冷媒の温度と室内熱交換器２１から排出される冷媒の温度との略平均の温度になる位置）で冷媒の温度を検出するように配置されている。ただし、室内熱交換器温度センサ２２の配置位置はこれに限るものではなく、例えば、冷房運転時における室内熱交換器２１からの冷媒の出口部（暖房運転時の冷媒の入口部）において冷媒の温度を検出するようにしてもよく、冷房運転時における室内熱交換器２１への冷媒の入口部（暖房運転時の冷媒の出口部）において冷媒の温度を検出するようにしてもよい。
【００２０】
二方弁３５は、室内熱交換器２１と膨張弁３６との間の冷媒配管４に備えられ、室内熱交換器２１と膨張弁３６との間を開状態と閉状態とに切り替えるものであり、通常使用時には開状態に維持される。
【００２１】
膨張弁３６は、室内熱交換器２１と室外熱交換器３７との間に備えられており、冷媒配管４の開度を調整することにより、冷媒配管４内を流れる冷媒を膨張させて冷媒の圧力を調整する。
【００２２】
室外熱交換器３７は、冷媒と室外空気との熱交換を行うことにより、冷媒を冷却あるいは加熱する。
【００２３】
室外機ファン３８は、室外熱交換器３７に対向する位置に備えられており、外気を室外熱交換器３７に送風することにより、室外熱交換器３７における熱交換を促進させる。
【００２４】
室外熱交換器温度センサ３９は、室外熱交換器３７の所定位置における冷媒の温度を検出して後述する制御部１５０に伝達する。なお、本実施形態では、室外熱交換器温度センサ３９は、冷房運転時における室外熱交換器３７からの冷媒の出口部（暖房運転時の冷媒の入口部）において冷媒の温度を検出するように配置されている。ただし、室外熱交換器温度センサ３９の配置位置はこれに限るものではなく、例えば、冷房運転時における室外熱交換器３７への冷媒の入口部（暖房運転時の冷媒の出口部）において冷媒の温度を検出するように配置してもよく、室外熱交換器３７内の冷媒流路の中間部分（例えば冷媒の温度が室外熱交換器３７に流入する冷媒の温度と室外熱交換器３７から排出される冷媒の温度との略平均の温度になる位置）で冷媒の温度を検出するように配置してもよい。
【００２５】
なお、上述したように、冷媒の流れ方向は、冷房運転時には圧縮機３１から吐出された冷媒が室外熱交換器３７側へ流れ、暖房運転時には圧縮機３１から吐出された冷媒が室内熱交換器２１側へ流れるように切り替えられる。これにより、冷房運転時には室外熱交換器３７は凝縮器として機能し、室内熱交換器２１が蒸発器として機能する。また、暖房運転時には、室内熱交換器２１が凝縮器として機能し、室外熱交換器３７が蒸発器として機能する。
【００２６】
（１−２．室内機２の構成）
図２は室内機２の斜視図であり、図３は室内機２の正面図であり、図４は室内機２における図３に示したＡ−Ａ断面の断面図である。
【００２７】
図２〜図４に示したように、室内機２は横長の略直方体形状を有する筐体部４０を備えており、筐体部４０の天面には室内空気を吸込む吸込口４１が形成され、筐体部４０の前面下部には吹出口４２が形成され、筐体部４０の前面下部における吹出口４２の側方には表示部４３が形成されている。
【００２８】
また、筐体部４０の内部には、吸込口４１から吹出口４２に至る空気通路４４が形成され、この空気通路４４に熱交換器２１ａ，２１ｂからなる室内熱交換器２１とファン４５とが配置されている。
【００２９】
また、吸込口４１と熱交換器２１ａ，２１ｂとの間には、吸込口４１から熱交換器２１ａ，２１ｂに流れる空気に含まれる塵埃を捕集するフィルタ４６が吸込口４１の裏面に沿って設けられている。
【００３０】
熱交換器２１ａ，２１ｂは、逆Ｖ字形に配置され、前側の熱交換器２１ａと吸込口４１との間にはフィルタ清掃装置６０が配置されている。フィルタ清掃装置６０は、フィルタ４６が捕集した塵埃を除去してフィルタ４６を清掃するものである。
【００３１】
上記の構成により、ファン４５の吸引力によって吸込口４１から空気が吸引され、吸込口４１から吸引された空気はフィルタ４６を通過して熱交換器２１ａ，２１ｂで冷媒と熱交換され、ファン４５を通って吹出口４２から排出される。これにより、冷媒との熱交換によって冷却あるいは加熱された空気が室内に放出される。
【００３２】
なお、吹出口４２には、室内機２から排出される空気の排出方向を調整するための図示しない調整板（風向調整部）が備えられており、後述する制御部１５０がこの調節板の向きを制御することにより、室内機２から排出される空気の排出方向を制御できるようになっている。
【００３３】
（１−３．フィルタ４６およびフィルタ清掃装置６０の構成）
図５はフィルタ清掃装置６０の分解斜視図であり、図６はフィルタ清掃装置６０の断面図である。また、図７の（ａ）はフィルタ４６を表面側（吸込口４１側）から見た斜視図であり、図７の（ｂ）はフィルタ４６を裏面側（熱交換器２１ａ，２１ｂ側）から見た斜視図である。
【００３４】
フィルタ清掃装置６０は、図６および図７に示すように、フィルタ４６を移動させる移動部７０と、フィルタ４６を清掃する清掃部８０と、フィルタ４６から除去された塵埃を収容するダストボックス９０とを備え、これらがユニットフレーム１００に取り付けられている。
【００３５】
フィルタ４６は、ユニットフレーム１００に移動可能に保持され、フィルタ４６が移動するときには、フィルタ４６はユニットフレーム１００によりガイドされる。このユニットフレーム１００により、着脱可能なフィルタ４６を移動可能に保持するフィルタ保持装置が構成されている。
【００３６】
ユニットフレーム１００は、図４に示したように、熱交換器２１ａ，２１ｂの前面から上面までを覆うように室内機２に着脱可能に取り付けられる。
【００３７】
ユニットフレーム１００の前方に、図４に示したように開閉可能な前面パネル４７が設けられている。前面パネル４７は室内機２に着脱可能に取り付けられている。前面パネル４７は、室内機２の上部に備えられた軸周りに開閉し、前面パネル４７を開くことにより、ダストボックス９０が外部に露出する。
【００３８】
ダストボックス９０は、ユニットフレーム１００に着脱可能に装着されており、ダストボックス９０をユニットフレーム１００から取り外すことにより、フィルタ４６が着脱可能になる。
【００３９】
フィルタ４６は、図７の（ａ）および（ｂ）に示したように、メッシュ部１２０と、メッシュ部１２０の周囲を取り囲む枠体１２１とから構成されている。
【００４０】
枠体１２１は、例えばポリプロピレン樹脂等の合成樹脂により形成されており、前後対称かつ左右対称な形状になっている。また、メッシュ部１２０の形状も前後対称かつ左右対称になっている。これにより、フィルタ４６は、前後のいずれの方向からでも室内機２に装着可能になっている。
【００４１】
メッシュ部１２０は、例えばポリプロピレン樹脂等の合成樹脂により形成されるメッシュ状の部材であり、このメッシュ部１２０を空気が通過することにより空気中の塵芥等がメッシュ部１２０に捕集される。
【００４２】
枠体１２１は、左右に位置する縦枠１２１ａと前後に位置する横枠１２１ｂとにより、四角形の枠状に形成されている。また、メッシュ部１２０の裏面には、補強のために複数の縦リブ１２２ａおよび複数の横リブ１２２ｂがそれぞれ等間隔に形成されている。メッシュ部１２０の表面は面一になっている。
【００４３】
また、縦枠１２１ａには、移動部７０に備えられて回転駆動されるピニオンギア７１（図５参照）に噛み合う多数の凹凸部を備えたラック１２３が形成されている。ラック１２３は、縦枠１２１ａの前端から後端にかけて形成されており、前後いずれの方向からユニットフレーム１００に装着されても、ピニオンギア７１に噛み合うようになっている。
【００４４】
ユニットフレーム１００は、図５および図６に示したように、フィルタ４６を保持するベース板１０１と、左右の側枠１０２とを備えている。ベース板１０１は、上面から前面にかけて湾曲しており、平坦な下面を有している。側枠１０２は、ベース板１０１の左右両端に立設されている。また、ベース板１０１の湾曲部分は開口しており、ベース板１０１の左右方向（室内機２の長手方向）の中央にはセンタ枠１０３が設けられ、開口部分が２分割されている。開口部分には、縦方向および横方向に延伸する複数の桟１０５によって複数の格子部１０６が形成されている。格子部１０６は、熱交換器２１ａ，２１ｂに対向する位置にあり、フィルタ４６を通過した空気は熱交換器２１ａ，２１ｂに向かって格子部１０６を通り抜ける。
【００４５】
また、ユニットフレーム１００には、移動するフィルタ４６をガイドする案内路１０７が形成されている。
【００４６】
ユニットフレーム１００の左右の側枠１０２およびセンタ枠１０３には、ガイド溝１０８が形成されており、このガイド溝１０８にフィルタ４６の縦枠１２１ａがスライド可能に嵌り込むようになっている。ガイド溝１０８およびベース板１０１の格子部１０６によって、フィルタ４６がＵターンするように移動するための案内路１０７がユニットフレーム１００の前面から上面にかけての空間に形成されている。これにより、フィルタ清掃時には、フィルタ４６は、吸込口４１と熱交換器２１ａ，２１ｂとの間に装着された装着位置から下方に向かって案内路１０７に沿って移動し、ガイド溝１０８でＵターンして、格子部１０６に沿って上方の吸込口４１と前側の熱交換器２１ａとの間の位置まで移動するようになっている。
【００４７】
移動部７０は、フィルタ４６のラック１２３に噛み合うピニオンギア７１と、ピニオンギア７１を回転駆動するステッピングモータ７２と、フィルタ４６の移動を補助するフィルタ押え部材７３とを有している。
【００４８】
ユニットフレーム１００の側枠１０２の外面側にステッピングモータ７２が取り付けられ、側枠１０２の内面側にピニオンギア７１が回転自在に支持されている。センタ枠１０３にも、ピニオンギア７１が回転自在に支持されている。ステッピングモータ７２のモータ軸に取り付けられたギアを介してピニオンギア７１に回転駆動力が伝達される。左右のピニオンギア７１は、回転軸（図示せず）によって連結される。この回転軸に、フィルタ押え部材７３が取り付けられており、ピニオンギア７１の回転に連動してフィルタ押え部材７３も回転する。なお、移動部７０は、左右のフィルタ４６に対応して、左右一対に設けられている。２つのステッピングモータ７２は同期して駆動される。
【００４９】
図６に示したように、ダストボックス９０はベース板１０１の下部に着脱可能に装着される。ダストボックス９０は、左右のフィルタ４６に対してそれぞれ備えられている。図６に示すように、ダストボックス９０は、フィルタ４６から除去された塵埃を溜める集塵箱９１と、湾曲しながら移動するフィルタ４６を押えるフィルタガイド９２と、フィルタ４６の移動をガイドするガイドリブ９３とを備えている。
【００５０】
清掃部８０は、フィルタ４６に接触して塵埃を掻き取る回転ブラシ８１と、回転ブラシ８１を回転駆動する清掃モータ８２とを有している。回転ブラシ８１は、ダストボックス９０に着脱可能に備えられている。
【００５１】
図６に示したように、回転ブラシ８１の上方に回転ブラシ８１と対向してローラ状のフィルタ押え部材７３が配置されている。
【００５２】
集塵箱９１は、フィルタ押え部材７３の下方に配置されている。集塵箱９１は、上面が開口した箱状に形成されており、この開口の上方を通過するフィルタ４６から回転ブラシ８１によって掻き落とされた塵埃が開口を介して集塵箱９１に収容される。これにより、フィルタ４６の塵芥が掻き落とされてフィルタ４６が清掃される。
【００５３】
図６に示すように、集塵箱９１の前側の上部に、フィルタガイド９２が配置される。フィルタガイド９２は集塵箱９１に対して着脱可能であり、フィルタガイド９２の下部が集塵箱９１の上部に差し込まれることにより、フィルタガイド９２は集塵箱９１に固定される。なお、フィルタガイド９２は、フォルタ押え部材７３の前方に配置され、ユニットフレーム１００の前面に沿って移動するフィルタ４６の前面を覆う。
【００５４】
前面パネル４７を開いたとき、フィルタ４６はフィルタガイド９２に隠される。したがって、前面パネル４７が開かれてもフィルタ４６が露出しないので、フィルタ４６に付着した塵埃が飛散することを防止できる。
【００５５】
フィルタガイド９２におけるフィルタ４６に対向する面の上部には、室内機２の長手方向に沿って間隔を隔てて複数の補助ガイドリブ９４が形成されている。補助ガイドリブ９４は、案内路１０７のＵターン部の前側部分に位置し、フィルタ押え部材７３の外周面に沿って湾曲するように形成されている。
【００５６】
ガイドリブ９３は、集塵箱９１に開閉自在に設けられる。ガイドリブ９３は、案内路１０７のＵターン部の下側部分には、室内機２の長手方向に沿って間隔を隔てて複数のガイドリブ９３が備えられている。各ガイドリブ９３は、前後方向に延伸するように形成されている。
【００５７】
左右方向の両側に配置されたガイドリブ９３は、ピニオンギア７１に対向し、中央にある複数のガイドリブ９３はフィルタ押え部材７３に対向するように配置されている。各ガイドリブ９３は、集塵箱９１に対して閉じた状態にあるときに、ガイドリブ９３の上面が凹状に湾曲するように形成されている。
【００５８】
フィルタ押え部材７３は、回転ブラシ８１の上方に、回転ブラシ８１と対向するように配置されている。フィルタ押え部材７３は、ステッピングモータ７２に接続された回転軸に固定されている。フィルタ押え部材７３は、案内路１０７のＵターン部の内側に位置し、フィルタ押え部材７３を外周側から覆うように配置されたフィルタガイド９２とガイドリブ９３との間で、フィルタ４６の移動をガイドすると共に、フィルタ４６を回転ブラシ８１側に押圧する。
【００５９】
（１−４．表示部４３およびリモコン１４０）
図８は表示部４３の正面図である。この図に示すように、表示部４３は、赤外線送受信部１３１と、複数の発光部（報知部）１３２とを備えている。
【００６０】
赤外線送受信部１３１は、ユーザが空気調和機１に対する指示入力を行うための後述するリモコン（遠隔操作装置）１４０との間で赤外線信号の送受信を行う。具体的には、赤外線送受信部１３１は、リモコン１４０から送信された赤外線信号を受信し、受信した赤外線信号に応じた信号を後述する制御部１５０に伝達する。また、赤外線送受信部１３１は、後述する制御部１５０の指示に応じた赤外線信号をリモコン１４０に送信する。
【００６１】
発光部１３２は、例えばＬＥＤなどの発光手段からなり、後述する制御部１５０の指示に応じて点灯、点滅、あるいは消灯することにより、空気調和機１の状態をユーザに報知する。発光部１３２を用いてユーザに報知される空気調和機１の状態としては、特に限定されるものではないが、例えば、（ｉ）電源の状態（電源がオン状態であるのかオフ状態であるのか）、（ｉｉ）運転モード（冷房モードであるのか暖房モードであるのか、あるいは、冷房モード、除湿モード、および暖房モードのいずれであるのか）、（ｉｉｉ）タイマー設定の有無、（ｉｖ）フィルタ清掃中であるか否か、および（ｖ）後述する液冷媒発生エラー（フィルタ目詰まりエラー）の発生有無などが挙げられる。
【００６２】
図９はリモコン１４０の正面図である。この図に示すように、リモコン１４０には、冷房ボタン１４１ａ、除湿ボタン１４１ｂ、暖房ボタン１４１ｃ、停止ボタン１４２、運転ボタン１４３、温度設定ボタン１４４、電気代表示ボタン１４５、タイマー設定ボタン１４６、お知らせ表示ボタン１４７、表示部（報知部）１４８、赤外線送受信部１４９、および表示制御部（図示せず）を備えている。
【００６３】
冷房ボタン１４１ａ、除湿ボタン１４１ｂ、および暖房ボタン１４１ｃは、ユーザが運転モードとして、冷房モード、除湿モード、暖房モードのいずれかを選択するためのボタンである。
【００６４】
停止ボタン１４２は、ユーザが空気調和機１の動作停止指示を行うためのボタンである。
【００６５】
運転ボタン１４３は、ユーザが空気調和機１の運転開始指示を行うためのボタンである。
【００６６】
温度設定ボタン１４４は、ユーザが設定温度の変更指示を行うためのボタンである。
【００６７】
電気代表示ボタン１４５は、ユーザが電気代に関する情報を表示部１４８に表示させる指示を行うためのボタンである。
【００６８】
タイマー設定ボタン１４６は、ユーザがタイマー設定（指定時間後に空気調和機１に所定の動作を開始させたり、指定時間後に空気調和機１の動作を停止させたりするための設定）を行うためのボタンである。
【００６９】
お知らせ表示ボタン１４７は、ユーザが各種情報を表示部１４８に表示させる指示を行うためのボタンである。
【００７０】
表示部１４８は、後述する制御部１５０の指示に応じた情報を表示するための表示手段である。表示部１４８としては、例えば液晶表示パネルや有機ＥＬパネルなどを用いることができる。なお、表示部１４８はタッチパネルであってもよい。
【００７１】
赤外線送受信部１４９は、リモコン１４０に対するユーザの操作内容に応じた赤外線信号を空気調和機１に送信するとともに、空気調和機１から送信されてくる赤外線信号を受信し、受信した赤外線信号に応じた信号を表示制御部に伝達する。
【００７２】
表示制御部は、表示部１４８の動作を制御し、空気調和機１から受信した赤外線信号に応じた文字や画像等を表示させる。
【００７３】
なお、リモコン１４０が、図示しない音声出力手段（報知部）を備え、後述する制御部１５０が、リモコン１４０に音声出力手段の動作を制御するための信号を送信し、空気調和機１の状態に応じた音声出力を行わせるようにしてもよい。
【００７４】
（１−５．空気調和機１の制御系）
図１０は、空気調和機１の制御系の構成を示す説明図である。この図に示すように、空気調和機１は、当該空気調和機１の各部の動作を制御する制御部１５０を備えている。
【００７５】
制御部１５０は、ユーザが選択した運転モードおよび設定温度、図示しない各種センサから入力される室内温度、室外温度、室内湿度、冷媒温度、冷媒圧力などの各種情報に応じて空気調和機１の各部の動作を制御し、暖房モード、冷房モード、および除湿モードの処理を行わせる。
【００７６】
また、制御部１５０は、圧縮機温度センサ３２、室内熱交換器温度センサ２２、および室外熱交換器温度センサ３９の温度検出結果に応じて、後述する判定処理（熱冷媒発生エラー判定処理）を行うようになっている。熱冷媒発生エラー判定処理の詳細については後述する。
【００７７】
また、制御部１５０は、フィルタ清掃装置６０の動作を制御して室内機２に備えられているフィルタ４６の清掃を行わせる。また、制御部１５０は、リモコン１４０を介して入力されるユーザからの指示を受け付けるとともに、空気調和機１の状態等に応じて室内機２に備えられる表示部４３、およびリモコン１４０に備えられる表示部１４８の動作を制御する。
【００７８】
なお、制御部１５０は、集積回路（ＩＣチップ）等に形成された論理回路（ハードウェア）によって実現してもよいし、ＣＰＵ（Central Processing Unit）を用いてソフトウェアによって実現してもよい。後者の場合、制御部１５０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、空気調和機１の機能が実現される。
【００７９】
（１−６．判定処理）
図１１は、制御部１５０が行う判定処理（熱冷媒発生エラー判定処理）の流れを示すフローチャートである。
【００８０】
制御部１５０は、リモコン１４０を介してユーザからの運転開始指示が入力されることを監視しており（Ｓ１）、運転開始指示が入力されると、暖房運転であるのか冷房運転（冷房モードまたは除湿モード）であるのかを判断する（Ｓ２）。
【００８１】
Ｓ２において暖房運転であると判断した場合、制御部１５０は、圧縮機３１、四方弁３３、ファン４５、膨張弁３６、および室外機ファン３８の動作を制御し、暖房運転を行わせる（Ｓ３）。
【００８２】
また、制御部１５０は、暖房運転中、暖房運転を開始してから所定時間経過後、圧縮機温度センサ３２および室内熱交換器温度センサ２２の検知結果に基づいて、圧縮機３１の出口における冷媒温度（圧縮機３１からの冷媒の吐出温度）Ｔｄと室内熱交換器２１における冷媒温度Ｔｉとの差であるΔＴｈ＝Ｔｄ−Ｔｉが、所定の閾値（暖房時エラー判定閾値）αｈ未満になること、すなわちΔＴｈ＜αｈになることを監視する（Ｓ４）。
【００８３】
なお、閾値αｈは、室内熱交換器温度センサ２２の温度検出位置、圧縮機３１から室内熱交換器２１までの区間における熱損失特性、および冷媒の凝結特性などに応じて、圧縮機３１において液冷媒が生じる条件になったことを適切に検出できるように適宜設定すればよい。本実施形態では、閾値αｈを２０℃に設定している。
【００８４】
一方、Ｓ２において暖房運転ではないと判断した場合、制御部１５０は、圧縮機３１、四方弁３３、ファン４５、膨張弁３６、および室外機ファン３８の動作を制御し、冷房運転を行わせる（Ｓ５）。なお、制御部１５０は、ユーザが冷房モードを選択した場合には冷房モードの処理を行わせ、ユーザが除湿モードを選択した場合には除湿モードの処理を行わせる。本実施形態では、説明の便宜上、冷房モードでの運転および除湿モードでの運転を総称して冷房運転と称する。
【００８５】
また、制御部１５０は、冷房運転中、冷房運転を開始してから所定時間経過後、圧縮機温度センサ３２および室外熱交換器温度センサ３９の検知結果に基づいて、圧縮機出口における冷媒温度Ｔｄと室外熱交換器３７における冷媒温度Ｔｏとの差であるΔＴｃ＝Ｔｄ−Ｔｏが、所定の閾値（冷房時エラー判定閾値αｃ未満になること、すなわちΔＴｃ＜αｃになることを監視する（Ｓ６）。
【００８６】
なお、閾値）αｃは、室外熱交換器温度センサ３９の温度検出位置、圧縮機３１から室外熱交換器３７までの区間における熱損失特性、および冷媒の凝結特性などに応じて、圧縮機３１において液冷媒が生じる条件になったことを適切に検出できるように適宜設定すればよい。本実施形態では、閾値αｃを２０℃に設定した。
【００８７】
そして、Ｓ４においてΔＴｈ＜αｈになった場合、およびＳ６においてΔＴｃ＜αｃになった場合、制御部１５０は、液冷媒発生エラー（フィルタエラー）が発生していると判定し（Ｓ７）、空気調和機１の運転を停止させ（Ｓ８）、処理を終了する。
【００８８】
なお、液冷媒発生エラー（フィルタエラー）が発生していると判定した場合に、所定のエラー解除処理（例えば、エラー解除ボタンの操作、フィルタ交換あるいはフィルタ清掃の実行など）が行われるまで、リモコン１４０を介したユーザからの指示入力を受け付けない（制御部１５０がユーザの指示に応じた運転制御を実行しない）ようにしてもよい。
【００８９】
以上のように、本実施形態では、暖房運転時に、圧縮機出口における冷媒温度Ｔｄと室内熱交換器２１における冷媒温度Ｔｉとの差であるΔＴｈ＝Ｔｄ−Ｔｉが、閾値αｈ未満になった場合に、液冷媒発生エラー（フィルタエラー）が生じていると判定し、空気調和機１の運転を停止させる。また、冷房運転時に、圧縮機出口における冷媒温度Ｔｄと室外熱交換器３７における冷媒温度Ｔｏとの差であるΔＴｃ＝Ｔｄ−Ｔｏが、閾値αｃ未満になった場合に、液冷媒発生エラー（フィルタエラー）が生じていると判断し、空気調和機１の運転を停止させる。
【００９０】
これにより、圧縮機３１内で冷媒が凝縮して液冷媒が生じる場合に圧縮機の運転を停止させ、液冷媒に起因する圧縮機構の潤滑不良や潤滑油の流出などの不具合が生じることを防止できる。
【００９１】
なお、閾値αｈおよび閾値αｃは、圧縮機３１において液冷媒が生じる状態に対応する値であってもよく、圧縮機３１において液冷媒が生じる状態に対応する値から安全率を考慮して設定されるマージンを減算した値であってもよい。すなわち、圧縮機３１において実際に液冷媒が生じる状態になったときに液冷媒発生エラー（フィルタエラー）が生じていると判定するようにしてもよく、圧縮機３１においてに液冷媒が生じる状態に所定の程度以上近づいたときに液冷媒発生エラー（フィルタエラー）が生じていると判定するようにしてもよい。
【００９２】
また、本実施形態では、空気調和機１が室内機２と室外機３とを別体として備えたセパレート型の空気調和機である構成について説明したが、本発明の適用対象はこれに限るものではない。本発明は、室内機２および室外機３に備えられる各部材が共通の筐体に備えられた一体型の空気調和機に適用することもできる。
【００９３】
また、本実施形態では、空気調和機１が暖房機能と冷房機能（冷房機能および除湿機能）を備えている構成について説明したが、これに限るものではなく、例えば、暖房機能、冷房機能、および除湿機能のうちのいずれか１つまたは２つのみを備えていてもよい。
【００９４】
〔実施形態２〕
本発明の他の実施形態について説明する。なお、説明の便宜上、上述した実施形態と同じ機能を有する部材には同じ符号を付し、その説明を省略する。
【００９５】
実施形態１では、暖房運転中にΔＴｈ＜αｈになった場合、および冷房運転中にΔＴｃ＜αｃになった場合に、制御部１５０が、液冷媒発生エラー（フィルタエラー）が生じていると判断する場合の例について説明した。
【００９６】
これに対して、本実施形態では、圧縮機３１の停止条件が発生した場合に制御部１５０が、液冷媒発生エラー（フィルタエラー）の発生有無を判定する。
【００９７】
図１２は、本実施形態における制御部１５０による判定処理の流れを示すフローチャートである。
【００９８】
制御部１５０は、リモコン１４０を介してユーザからの運転開始指示が入力されることを監視しており（Ｓ１１）、運転開始指示が入力されると、暖房運転であるのか冷房運転（冷房モードまたは除湿モード）であるのかを判断する（Ｓ１２）。
【００９９】
Ｓ１２において暖房運転であると判断した場合、制御部１５０は、圧縮機３１、四方弁３３、ファン４５、膨張弁３６、および室外機ファン３８の動作を制御し、暖房運転を行わせる（Ｓ１３）。
【０１００】
また、制御部１５０は、暖房運転中、圧縮機３１の停止条件（圧縮機３１を停止させるべき条件として予め設定された条件）が生じることを監視し（Ｓ１４）、停止条件が生じていない場合にはＳ１３に戻って暖房運転を継続させる。
【０１０１】
なお、圧縮機３１の停止条件としては、例えば、（ｉ）室内温度が設定温度になった場合、および（ｉｉ）冷媒温度に異常が生じた場合などが挙げられる。
【０１０２】
また、本実施形態では、暖房運転時に、室内熱交換器温度センサ２２の検出した室内熱交換器２１における冷媒温度Ｔｉが限界吐出圧力飽和温度Ｔｃの近傍の値になった場合、具体的にはＴｉ＞Ｔｃ−βｈになった場合に、冷媒温度の異常が生じたと判定し、圧縮機３１を停止するように設定している。なお、上記の限界吐出圧力飽和温度Ｔｃは、圧縮機温度センサ３２が検出した圧縮機３１の吐出部における冷媒圧力（圧縮機３１の吐出圧力）における冷媒の飽和温度（圧縮機３１の信頼性を担保できる限界温度）である。また、上記βｈは、室内熱交換器温度センサ２２の温度検出位置や冷媒の特性などに応じて予め設定される閾値（暖房時閾値）であり、本実施形態ではβｈ＝５℃としている。
【０１０３】
Ｓ１４において圧縮機停止条件が生じたと判断した場合、制御部１５０は、圧縮機３１の動作を停止させ（Ｓ１５）、圧縮機出口における冷媒温度Ｔｄと室内熱交換器２１における冷媒温度Ｔｉとの差であるΔＴｈ＝Ｔｄ−Ｔｉが、閾値αｈ未満であるか否か、すなわちΔＴｈ＜αｈであるか否かを判断する（Ｓ１６）。
【０１０４】
そして、Ｓ１６においてΔＴｈ＜αｈではないと判断した場合、制御部１５０は、圧縮機３１を再起動させ（Ｓ１７）、Ｓ１３の処理に戻る。
【０１０５】
一方、Ｓ１６においてΔＴｈ＜αｈであると判断した場合、制御部１５０は、液冷媒発生エラー（フィルタエラー）と判定し（Ｓ２３）、空気調和機１の運転を停止させ（Ｓ２４）、処理を終了する。
【０１０６】
また、Ｓ１２において暖房運転ではないと判断した場合、制御部１５０は、圧縮機３１、四方弁３３、ファン４５、膨張弁３６、および室外機ファン３８の動作を制御し、冷房運転を行わせる（Ｓ１８）。
【０１０７】
また、制御部１５０は、冷房運転中、圧縮機３１の停止条件（圧縮機３１を停止させるべき条件として予め設定された条件）が生じることを監視し（Ｓ１９）、停止条件が生じていない場合にはＳ１８に戻って冷房運転を継続させる。
【０１０８】
なお、圧縮機３１の停止条件としては、例えば、（ｉ）室内温度が設定温度になった場合、および（ｉｉ）冷媒温度に異常が生じた場合などが挙げられる。
【０１０９】
また、本実施形態では、冷房運転時に、室外熱交換器温度センサ３９の検出した室外熱交換器３７における冷媒温度Ｔｏが、限界吐出圧力飽和温度Ｔｃの近傍の値になった場合、具体的にはＴｏ＞Ｔｃ−βｃになった場合に冷媒温度の異常が生じたと判定し、圧縮機３１を停止するように設定している。上記βｃは、室外熱交換器温度センサ３９の温度検出位置や冷媒の特性などに応じて予め設定される閾値（冷房時閾値）であり、本実施形態ではβｃ＝１０℃としている。
【０１１０】
Ｓ１９において圧縮機停止条件が生じたと判断した場合、制御部１５０は、圧縮機３１の動作を停止させ（Ｓ２０）、圧縮機出口における冷媒温度Ｔｄと室外熱交換器３７における冷媒温度Ｔｏとの差であるΔＴｃ＝Ｔｄ−Ｔｏが、閾値αｃ未満であるか否か、すなわちΔＴｃ＜αｃであるか否かを判断する（Ｓ２１）。
【０１１１】
そして、Ｓ２１においてΔＴｃ＜αｃではないと判断した場合、制御部１５０は、圧縮機３１を再起動させ（Ｓ２２）、Ｓ１８の処理に戻る。
【０１１２】
一方、Ｓ２１においてΔＴｃ＜αｃであると判断した場合、制御部１５０は、液冷媒発生エラー（フィルタエラー）と判定し（Ｓ２３）、空気調和機１の運転を停止させ（Ｓ２４）、処理を終了する。
【０１１３】
以上のように、本実施形態では、圧縮機３１を停止させる条件を予め設定しておき、圧縮機停止条件が生じて圧縮機を停止させた場合に液冷媒発生エラー（フィルタエラー）であるか否かを判断する。
【０１１４】
これにより、運転中に不必要にエラー判定が行われることを防止することができる。
【０１１５】
〔実施形態３〕
本発明のさらに他の実施形態について説明する。なお、説明の便宜上、上述した実施形態と同じ機能を有する部材には同じ符号を付し、その説明を省略する。
【０１１６】
実施形態２では、圧縮機３１の停止条件が発生した場合に制御部１５０が、液冷媒発生エラー（フィルタエラー）が生じたか否かの判断を行う構成について説明した。
【０１１７】
これに対して、本実施形態では、圧縮機３１の停止条件が発生した場合、所定回数までは圧縮機３１を一旦停止させて再起動する再起動処理を行い、再起動処理を所定回数行っても圧縮機３１の停止条件が繰り返し発生する場合に、制御部１５０が液冷媒発生エラー（フィルタエラー）の発生有無の判定を行う。
【０１１８】
図１３は、本実施形態における制御部１５０による判定処理の流れを示すフローチャートである。
【０１１９】
制御部１５０は、リモコン１４０を介してユーザからの運転開始指示が入力されることを監視しており（Ｓ３１）、運転開始指示が入力されると、暖房運転であるのか冷房運転（冷房モードまたは除湿モード）であるのかを判断する（Ｓ３２）。
【０１２０】
Ｓ３２において暖房運転であると判断した場合、制御部１５０は、圧縮機３１、四方弁３３、ファン４５、膨張弁３６、および室外機ファン３８の動作を制御し、暖房運転を行わせる（Ｓ３３）。
【０１２１】
また、制御部１５０は、暖房運転中、圧縮機３１の停止条件（圧縮機３１を停止させるべき条件として予め設定された条件）が生じることを監視し（Ｓ３４）、停止条件が生じていない場合にはＳ１３に戻って暖房運転を継続させる。
【０１２２】
なお、圧縮機３１の停止条件としては、例えば、（ｉ）室内温度が設定温度になった場合、および（ｉｉ）冷媒温度あるいは冷媒圧力に異常が生じた場合などが挙げられる。
【０１２３】
また、本実施形態では、暖房運転時に、室内熱交換器温度センサ２２の検出した室内熱交換器２１における冷媒温度Ｔｉが限界吐出圧力飽和温度Ｔｃの近傍の値になった場合、具体的にはＴｉ＞Ｔｃ−βｈになった場合に、冷媒温度の異常が生じたと判定し、圧縮機３１を停止するように設定している。
【０１２４】
Ｓ３４において圧縮機停止条件が生じたと判断した場合、制御部１５０は、圧縮機３１の動作を停止させ（Ｓ３５）、圧縮機出口における冷媒温度Ｔｄと室内熱交換器２１における冷媒温度Ｔｉとの差であるΔＴｈ＝Ｔｄ−Ｔｉが、閾値αｈ未満であるか否か、すなわちΔＴｈ＜αｈであるか否かを判断する（Ｓ３６）。
【０１２５】
そして、Ｓ３６においてΔＴｈ＜αｈであると判断した場合、制御部１５０は、直近の所定時間以内における圧縮機の再起動回数が所定回数未満であるか否かを判断する（Ｓ３７）。上記の所定時間は、例えば数分程度に設定される。また、上記所定回数は、例えば数回程度に設定される。
【０１２６】
なお、上記の圧縮機の再起動回数を、ΔＴｈ＜αｈとなった場合の圧縮機再起動回数としてもよい。すなわち、Ｓ３７において、直近の所定時間以内におけるΔＴｈ＜αｈとなったことに起因する圧縮機の再起動回数が所定回数未満であるか否かを判断するようにしてもよい。これにより、ΔＴｈ＜αｈ以外の条件に起因する圧縮機の再起動をＳ３７の判断から除外することができるので、ΔＴｈ＜αｈが繰り返し発生しているか否かを適切に判断することができ、誤検知を防止することができる。
【０１２７】
そして、Ｓ３７において直近の所定期間内における圧縮機の再起動回数が所定回数未満ではないと判断した場合、制御部１５０は、液冷媒発生エラー（フィルタエラー）が生じていると判定し（Ｓ４７）、空気調和機１の運転を停止させ（Ｓ４８）、処理を終了する。
【０１２８】
一方、Ｓ３６においてΔＴｈ＜αｈではないと判断した場合、およびＳ３７において直近の所定期間内における圧縮機の再起動回数が所定回数未満ではないと判断した場合、制御部１５０は、室内温度が設定温度に到達しているか否かを判断する（Ｓ３８）。
【０１２９】
そして、Ｓ３８において室内温度が設定温度に到達していると判断した場合、制御部１５０は、Ｓ３８の処理を継続して室内温度が設定温度未満になることを引き続き監視する。
【０１３０】
一方、Ｓ３８において室内温度が設定温度に到達していないと判断した場合、制御部１５０は、圧縮機３１を再起動させ（Ｓ３９）、Ｓ３３の処理に戻る。
【０１３１】
また、Ｓ３２において暖房運転ではないと判断した場合、制御部１５０は、圧縮機３１、四方弁３３、ファン４５、膨張弁３６、および室外機ファン３８の動作を制御し、冷房運転を行わせる（Ｓ４０）。
【０１３２】
また、制御部１５０は、冷房運転中、圧縮機３１の停止条件（圧縮機３１を停止させるべき条件として予め設定された条件）が生じることを監視し（Ｓ４１）、停止条件が生じていない場合にはＳ４０に戻って冷房運転を継続させる。
【０１３３】
なお、圧縮機３１の停止条件としては、例えば、（ｉ）室内温度が設定温度になった場合、および（ｉｉ）冷媒温度に異常が生じた場合などが挙げられる。
【０１３４】
また、本実施形態では、冷房運転時に、室外熱交換器温度センサ３９の検出した室外熱交換器３７における冷媒温度Ｔｏが限界吐出圧力飽和温度Ｔｃの近傍の値になった場合、具体的にはＴｏ＞Ｔｃ−βｃになった場合に冷媒温度の異常が生じたと判定し、圧縮機３１を停止するように設定している。
【０１３５】
Ｓ４１において圧縮機停止条件が生じたと判断した場合、制御部１５０は、圧縮機３１の動作を停止させ（Ｓ４２）、圧縮機出口における冷媒温度Ｔｄと室外熱交換器３７における冷媒温度Ｔｏとの差であるΔＴｃ＝Ｔｄ−Ｔｏが、閾値αｃ未満であるか否か、すなわちΔＴｃ＜αｃであるか否かを判断する（Ｓ４３）。
【０１３６】
そして、Ｓ４３においてΔＴｃ＜αｃであると判断した場合、制御部１５０は、直近の所定時間以内における圧縮機の再起動回数が所定回数未満であるか否かを判断する（Ｓ４４）。上記の所定時間は、例えば数分程度に設定される。また、上記所定回数は、例えば数回程度に設定される。
【０１３７】
なお、上記の圧縮機の再起動回数を、ΔＴｃ＜αｃとなった場合の圧縮機再起動回数としてもよい。すなわち、Ｓ４４において、直近の所定時間以内におけるΔＴｃ＜αｃとなったことに起因する圧縮機の再起動回数が所定回数未満であるか否かを判断するようにしてもよい。これにより、ΔＴｃ＜αｃ以外の条件に起因する圧縮機の再起動をＳ４４の判断から除外することができるので、ΔＴｃ＜αｃが繰り返し発生しているか否かを適切に判断することができ、誤検知を防止することができる。
【０１３８】
そして、Ｓ４４において直近の所定期間内における圧縮機の再起動回数が所定回数未満ではないと判断した場合、制御部１５０は、液冷媒発生エラー（フィルタエラー）が生じていると判定し（Ｓ４７）、空気調和機１の運転を停止させ（Ｓ４８）、処理を終了する。
【０１３９】
一方、Ｓ４３においてΔＴｃ＜αｃではないと判断した場合、およびＳ４４において直近の所定期間内における圧縮機の再起動回数が所定回数未満ではないと判断した場合、制御部１５０は、室内温度が設定温度に到達しているか否かを判断する（Ｓ４５）。
【０１４０】
そして、Ｓ４５において室内温度が設定温度に到達していると判断した場合、制御部１５０は、Ｓ４５の処理を継続して室内温度が設定温度よりも高くなることを引き続き監視する。
【０１４１】
一方、Ｓ４５において室内温度が設定温度に到達していないと判断した場合、制御部１５０は、圧縮機３１を再起動させ（Ｓ４６）、Ｓ４０の処理に戻る。
【０１４２】
以上のように、本実施形態では、圧縮機３１を停止させる条件を予め設定しておき、圧縮機停止条件が生じて圧縮機を停止させた場合に、所定回数までは圧縮機３１の再起動を行い、所定回数の再起動を行っても圧縮機停止条件が繰り返し発生する場合に液冷媒発生エラー（フィルタエラー）の発生有無を判定する。
【０１４３】
これにより、運転中に不必要にエラー判定が行われることを防止することができる。
【０１４４】
〔実施形態４〕
本発明の他の実施形態について説明する。なお、説明の便宜上、上述した実施形態と同じ機能を有する部材には同じ符号を付し、その説明を省略する。
【０１４５】
実施形態３では、所定回数までは圧縮機３１を一旦停止させて再起動する処理を行い、所定回数の再起動を行っても圧縮機３１の停止条件が繰り返し発生する場合に、制御部１５０が、液冷媒発生エラー（フィルタエラー）の発生有無の判定を行う構成について説明した。
【０１４６】
これに対して、本実施形態では、圧縮機３１の停止条件が発生した場合、制御部１５０が、運転中にΔＴｈ≧αｈ（暖房運転時）またはΔＴｃ≧αｃ（冷房運転時）になったか否かを判断し、ΔＴｈ≧αｈまたはΔＴｃ≧αｃになった場合には液冷媒発生エラー（フィルタエラー）と判定しない。
【０１４７】
図１４は、本実施形態における制御部１５０による判定処理の流れを示すフローチャートである。なお、Ｓ３７の処理において直近の所定期間内における圧縮機の再起動回数が所定回数未満ではないと判断した場合にＳ３７ａの処理を行う点、およびＳ４４の処理において直近の所定期間内における圧縮機の再起動回数が所定回数未満ではないと判断した場合にＳ４４ａの処理を行う点以外は、図１３に示した処理と同様である。
【０１４８】
Ｓ３７の処理において直近の所定期間内における圧縮機の再起動回数が所定回数未満ではないと判断した場合、制御部１５０は、直近の所定時間以内における暖房運転中にΔＴｈ≧αｈになったか否かを判断する（Ｓ３７ａ）。
【０１４９】
そして、Ｓ３７ａにおいて暖房運転中にΔＴｈ≧αｈになったと判断した場合にはＳ４７の処理に進み、ΔＴｈ≧αｈになっていないと判断した場合にはＳ３８の処理に進む。
【０１５０】
また、Ｓ４４の処理において直近の所定期間内における圧縮機の再起動回数が所定回数未満ではないと判断した場合、制御部１５０は、直近の所定時間以内における暖房運転中にΔＴｃ≧αｃになったか否かを判断する（Ｓ４４ａ）。
【０１５１】
そして、Ｓ４４ａにおいて暖房運転中にΔＴｃ≧αｃになったと判断した場合にはＳ４７の処理に進み、ΔＴｃ≧αｃになっていないと判断した場合にはＳ４５の処理に進む。
【０１５２】
これにより、本来はフィルタ目詰まりに起因するエラーではないにもかかわらず一時的な原因によりＴｈ＜αｈあるいはＴｃ＜αｃが検出された場合に、フィルタエラーが生じていると誤判定されることを防止できる。
【０１５３】
すなわち、フィルタ目詰まりが発生した場合には、フィルタ清掃やフィルタ交換を行わない限りエラー要因は解消せず、運転中にΔＴｈ≧αｈあるいはΔＴｃ≧αｃになることなく、Ｔｈ＜αｈあるいはＴｃ＜αｃが継続されるはずである。そこで、本実施形態では、運転中にΔＴｈ≧αｈあるいはΔＴｃ≧αｃになった場合にはフィルタ目詰まりではないと判断する。これにより、フィルタエラーの誤検知が生じることを防止できる。
【０１５４】
〔実施形態５〕
本発明のさらに他の実施形態について説明する。なお、説明の便宜上、上述した実施形態と同じ機能を有する部材には同じ符号を付し、その説明を省略する。
【０１５５】
実施形態１では、暖房運転中にΔＴｈ＜αｈになった場合、および冷房運転中にΔＴｃ＜αｃになった場合に、制御部１５０が、液冷媒発生エラー（フィルタエラー）が生じていると判断する場合の例について説明した。
【０１５６】
これに対して、本実施形態では、暖房運転中にΔＴｈ＜αｈになった場合、あるいは冷房運転中にΔＴｃ＜αｃになった場合に、膨張弁３６の開度を絞る開度調整処理を行うことで圧縮機３１の吐出温度Ｔｄを上昇させ、ΔＴｈあるいはΔＴｃを大きくして液冷媒が発生する条件の解消を図る。そして、膨張弁３６の開度調整処理を行ってもΔＴｈ＜αｈあるいはΔＴｃ＜αｃが解消しない場合に液冷媒発生エラー（フィルタエラー）が生じていると判断する。
【０１５７】
図１５は、本実施形態における制御部１５０による判定処理の流れを示すフローチャートである。なお、Ｓ４の処理に代えてＳ４ａ〜Ｓ４ｃの処理を行う点、およびＳ６の処理に代えてＳ６ａ〜Ｓ６ｃの処理を行う点以外は、図１１に示した処理と同様である。
【０１５８】
暖房運転中、制御部１５０は、ΔＴｈ＜αｈである状態が所定時間以上継続することを監視する（Ｓ４ａ）。そして、ΔＴｈ＜αｈである状態が所定時間以上継続したと判断した場合、制御部１５０は、膨張弁３６の開度設定レベルが予め定めた最小設定レベルであるか否かを判断する（Ｓ４ｂ）。
【０１５９】
Ｓ４ｂにおいて最小値ではないと判断した場合、制御部１５０は、膨張弁３６の開度設定を所定レベルだけ狭く絞り（Ｓ４ｃ）、Ｓ３の処理に戻る。例えば、膨張弁３６の開度設定レベルを所定段階数のレベルに切り替え可能な構成とし、各開度設定レベルと当該各開度設定レベルに対応する膨張弁３６の開度値とを、圧縮機３１の回転数に応じて設定しておく。すなわち、各開度設定レベルに対応する開度値を、圧縮機３１の回転数毎に異ならせる。そして、Ｓ４ｃでは、膨張弁３６の開度設定レベルを１段階変更し、膨張弁３６の開度値を変更後の開度設定レベルと圧縮機３１の回転数とに対応する開度値に絞る。
【０１６０】
また、Ｓ４ｂにおいて最小値であると判断した場合、制御部１５０は、液冷媒発生エラー（フィルタエラー）が生じていると判定し（Ｓ７）、空気調和機１の運転を停止させ（Ｓ８）、処理を終了する。
【０１６１】
また、冷房運転中、制御部１５０は、ΔＴｃ＜αｃである状態が所定時間以上継続することを監視する（Ｓ６ａ）。そして、ΔＴｃ＜αｃである状態が所定時間以上継続したと判断した場合、制御部１５０は、膨張弁３６の開度設定レベルが予め定めた最小設定レベルであるか否かを判断する（Ｓ６ｂ）。
【０１６２】
Ｓ６ｂにおいて最小設定レベルではないと判断した場合、制御部１５０は、膨張弁３６の開度設定レベルを所定レベルだけ狭く絞り（Ｓ６ｃ）、Ｓ３の処理に戻る。また、Ｓ６ｂにおいて最小設定レベルであると判断した場合、制御部１５０は、液冷媒発生エラー（フィルタエラー）が生じていると判定し（Ｓ７）、空気調和機１の運転を停止させ（Ｓ８）、処理を終了する。
【０１６３】
以上のように、本実施形態では、暖房運転中にΔＴｈ＜αｈである状態が所定時間以上継続した場合、あるいは冷房運転中にΔＴｃ＜αｃである状態が所定時間以上継続した場合に、膨張弁３６の開度を絞って液冷媒が発生する条件の解消を図る。これにより、圧縮機における液冷媒の発生に起因する不具合を防止するとともに、空気調和機１が停止する頻度を低減することができる。
【０１６４】
なお、本実施形態では、膨張弁３６の開度調整により液冷媒が発生する条件の解消を図る構成を実施形態１（図１１）に示した構成と組み合わせた例について説明したが、これに限らず、例えば他の実施形態に示した構成と組み合わせてもよい。
【０１６５】
〔実施形態６〕
本発明のさらに他の実施形態について説明する。なお、説明の便宜上、上述した実施形態と同じ機能を有する部材には同じ符号を付し、その説明を省略する。
【０１６６】
上述した各実施形態では、制御部１５０が液冷媒発生エラーが生じていると判定した場合に、空気調和機１の運転を停止させて処理を終了する構成について説明した。
【０１６７】
これに対して、本実施形態では、制御部１５０が液冷媒発生エラーが生じていると判定した場合に、空気調和機１の運転を停止させるとともに、液冷媒発生エラーの発生をユーザに報知する報知処理を行う。
【０１６８】
図１６は、本実施形態における制御部１５０による判定処理の流れを示すフローチャートである。なお、Ｓ８の処理の後にＳ９の処理を行う点以外は、図１１に示した処理と同様である。
【０１６９】
Ｓ７において液冷媒発生エラーが生じていると判定した後、制御部１５０は、空気調和機１の運転を停止させるとともに（Ｓ８）、液冷媒発生エラーの発生をユーザに報知する報知処理を行い（Ｓ９）、処理を終了する。
【０１７０】
なお、液冷媒発生エラーの発生をユーザに報知する方法は特に限定されるものではなく、例えば以下に示す（ｉ）〜（ｉｖ）のいずれか、あるいは（ｉ）〜（ｉｖ）のうちのいずれか２つ以上を組み合わせた方法を用いることができる。
（ｉ）室内機２の表示部４３におけるフィルタエラー（液冷媒発生エラー）に対応する発光部１３２を点灯あるいは点滅させる。
（ｉｉ）リモコン１４０の表示部１４８にフィルタエラー（液冷媒発生エラー）に応じた表示を行わせる。
（ｉｉｉ）室内機２あるいはリモコン１４０に備えられる音声出力手段（報知部。図示せず。）により、フィルタエラー（液冷媒発生エラー）に応じた音声あるいはブザー音などを出力させる。
（ｉｖ）空気調和機１に所定の通信機器（例えばユーザの携帯電話、スマートフォン、タブレット端末、パソコン、管理会社のサーバなど）との通信を行う通信部（報知部。図示せず。）を備えておき、フィルタエラー（液冷媒発生エラー）に応じたメッセージを上記通信機器に送信させる。
【０１７１】
以上のように、本実施形態では、制御部１５０が、フィルタエラー（液冷媒発生エラー）であると判断した場合に、フィルタエラー（液冷媒発生エラー）の発生をユーザに報知する報知処理を行う。
【０１７２】
これにより、ユーザにフィルタエラー（液冷媒発生エラー）の発生を認識させ、エラーを解消するための必要な処理を行わせることができる。
【０１７３】
なお、本実施形態では、液冷媒発生エラーの発生をユーザに報知する処理を実施形態１（図１１）の構成と組み合わせた構成について説明したが、これに限らず、例えば他の実施形態に示した構成と組み合わせてもよい。
【０１７４】
〔実施形態７〕
本発明のさらに他の実施形態について説明する。なお、説明の便宜上、上述した実施形態と同じ機能を有する部材には同じ符号を付し、その説明を省略する。
【０１７５】
上述した各実施形態では、制御部１５０が液冷媒発生エラーが生じていると判定した場合に、空気調和機１の運転を停止させて処理を終了する構成、あるいは空気調和機１の運転を停止させるとともにユーザへの報知を行って処理を終了する構成について説明した。
【０１７６】
これに対して、本実施形態では、制御部１５０が、ΔＴｈ＜αｈと判断した場合（暖房運転時）、およびΔＴｃ＜αｃと判断した場合（冷房運転時）に、フィルタ４６の自動清掃を行わせ、それでもΔＴｈ＜αｈあるいはΔＴｃ＜αｃが解消しない場合に空気調和機１の運転停止およびユーザへの報知を行って処理を終了する。
【０１７７】
図１７は、本実施形態における制御部１５０による判定処理の流れを示すフローチャートである。なお、Ｓ４でΔＴｈ＜αｈと判断した場合、およびＳ６でΔＴｃ＜αｃと判断した場合に後述するＳ１０１〜Ｓ１０３の処理を行う点以外は、図１６示した処理と同様である。
【０１７８】
Ｓ４でΔＴｈ＜αｈと判断した場合、およびＳ６でΔＴｃ＜αｃと判断した場合、制御部１５０は、圧縮機３１を停止させ（Ｓ１０１）、直近の所定時間以内にフィルタ清掃を実行済みであるか否かを判断する（Ｓ１０２）。
【０１７９】
Ｓ１０２においてフィルタ清掃を実行していないと判断した場合、制御部１５０は、フィルタ清掃装置６０の動作を制御してフィルタ４６の清掃を実行させ（Ｓ１０３）、Ｓ２の処理に戻って暖房運転または冷房運転を再開させる。
【０１８０】
一方、Ｓ１０２おいてフィルタ清掃を実行していないと判断した場合、制御部１５０は、液冷媒発生エラー（フィルタエラー）と判定し（Ｓ７）、空気調和機１の運転を停止させ（Ｓ８）、液冷媒発生エラーの発生をユーザに報知する処理を行い（Ｓ９）、処理を終了する。
【０１８１】
以上のように、本実施形態では、制御部１５０が、液冷媒発生エラーが発生したと判断した場合に、フィルタ清掃装置６０にフィルタ４６の清掃を実行させ、それでもエラーが解消しない場合にユーザに液冷媒発生エラーの発生を報知する。これにより、圧縮機における液冷媒の発生に起因する不具合を防止するとともに、ユーザにエラーの発生を報知する頻度を低減することができる。
【０１８２】
なお、Ｓ４でΔＴｈ＜αｈと判断した場合、およびＳ６でΔＴｃ＜αｃと判断した場合に行うフィルタ清掃時間を、通常時のフィルタ清掃時間（例えば、液冷媒発生エラーが生じていると判定されていない場合にユーザの指示に応じて行うフォルタ清掃の清掃時間、あるいは定期的に行うフィルタ清掃の清掃時間）よりも長く設定してもよい。
【０１８３】
また、Ｓ４でΔＴｈ＜αｈと判断した場合、およびＳ６でΔＴｃ＜αｃと判断した場合に、制御部１５０が、上述した図１７の処理に加えて、空気調和機１の次回起動時、あるいは空気調和機１の運転停止時にフィルタ清掃処理を実行するように設定するようにしてもよい。
【０１８４】
〔実施形態８〕
本発明のさらに他の実施形態について説明する。なお、説明の便宜上、上述した実施形態と同じ機能を有する部材には同じ符号を付し、その説明を省略する。
【０１８５】
本実施形態では、実施形態５（図１５）に示した処理と、実施形態７（図１７）に示した処理とを組み合わせて行う構成について説明する。すなわち、本実施形態では、ΔＴｈ＜αｈあるいはΔＴｃ＜αｃになった場合に、膨張弁３６の開度調整を行う処理と、フィルタ清掃装置６０にフィルタ４６の清掃を実行させる処理とを組み合わせて行う構成について説明する。
【０１８６】
図１８は、本実施形態における制御部１５０による判定処理の流れを示すフローチャートである。
【０１８７】
制御部１５０は、リモコン１４０を介してユーザからの運転開始指示が入力されることを監視しており（Ｓ５１）、運転開始指示が入力されると、暖房運転であるのか冷房運転（冷房モードまたは除湿モード）であるのかを判断する（Ｓ５２）。
【０１８８】
Ｓ５２において暖房運転であると判断した場合、制御部１５０は、圧縮機３１、四方弁３３、ファン４５、膨張弁３６、および室外機ファン３８の動作を制御し、暖房運転を行わせる（Ｓ５３）。
【０１８９】
また、制御部１５０は、暖房運転中、ΔＴｈ＜αｈである状態が所定時間以上継続したか否かを判断し（Ｓ５４）、所定時間以上継続していない場合にはＳ５３に戻って暖房運転を継続する。
【０１９０】
一方、Ｓ５４においてΔＴｈ＜αｈである状態が所定時間以上継続したと判断した場合、制御部１５０は、圧縮機３１を停止させるとともに（Ｓ５５）、直近の所定時間以内にフィルタ清掃を実行済みであるか否かを判断する（Ｓ５６）。
【０１９１】
そして、Ｓ５６においてフィルタ清掃を実行していないと判断した場合、制御部１５０は、フィルタ清掃装置６０の動作を制御してフィルタ４６の清掃処理を実行させ（Ｓ５７）、圧縮機３１を再起動させ（Ｓ５８）、Ｓ５３の処理に戻る。
【０１９２】
一方、Ｓ５６においてフィルタ清掃を実行済みであると判断した場合、制御部１５０は、膨張弁３６の開度設定レベルが予め定めた最小設定レベルであるか否かを判断する（Ｓ５９）。
【０１９３】
そして、Ｓ５９において最小値ではないと判断した場合、制御部１５０は、膨張弁３６の開度設定を所定レベルだけ狭く絞り（Ｓ６０）、圧縮機３１を再起動させ（Ｓ５８）、Ｓ５３の処理に戻る。
【０１９４】
一方、Ｓ５９においてまた、最小設定レベルであると判断した場合、制御部１５０は、液冷媒発生エラー（フィルタエラー）と判定し（Ｓ６９）、空気調和機１の運転を停止させ（Ｓ７０）、処理を終了する。この際、ユーザへの液冷媒発生エラー（フィルタエラー）の報知を行うようにしてもよい。
【０１９５】
また、Ｓ５２において暖房運転ではないと判断した場合、制御部１５０は、圧縮機３１、四方弁３３、ファン４５、膨張弁３６、および室外機ファン３８の動作を制御し、冷房運転を行わせる（Ｓ６１）。
【０１９６】
また、制御部１５０は、冷房運転中、ΔＴｃ＜αｃである状態が所定時間以上継続したか否かを判断し（Ｓ６２）、所定時間以上継続していない場合にはＳ６１に戻って冷房運転を継続する。
【０１９７】
一方、Ｓ６２においてΔＴｃ＜αｃである状態が所定時間以上継続したと判断した場合、制御部１５０は、圧縮機３１を停止させるとともに（Ｓ６３）、直近の所定時間以内にフィルタ清掃を実行済みであるか否かを判断する（Ｓ６４）。
【０１９８】
そして、Ｓ６４においてフィルタ清掃を実行していないと判断した場合、制御部１５０は、フィルタ清掃装置６０の動作を制御してフィルタ４６の清掃処理を実行させ（Ｓ６５）、圧縮機３１を再起動させ（Ｓ６６）、Ｓ６１の処理に戻る。
【０１９９】
一方、Ｓ６４においてフィルタ清掃を実行済みであると判断した場合、制御部１５０は、膨張弁３６の開度設定レベルが予め定めた最小設定レベルであるか否かを判断する（Ｓ６７）。
【０２００】
そして、Ｓ６７において最小値ではないと判断した場合、制御部１５０は、膨張弁３６の開度設定を所定レベルだけ狭く絞り（Ｓ６８）、圧縮機３１を再起動させ（Ｓ６６）、Ｓ６１の処理に戻る。
【０２０１】
一方、Ｓ６７においてまた、最小設定レベルであると判断した場合、制御部１５０は、液冷媒発生エラー（フィルタエラー）と判定し（Ｓ６９）、空気調和機１の運転を停止させ（Ｓ７０）、ユーザへの液冷媒発生エラー（フィルタエラー）の報知を行い（Ｓ７１）、処理を終了する。
【０２０２】
以上のように、本実施形態では、制御部１５０が、ΔＴｈ＜αｈあるいはΔＴｃ＜αｃになった場合に、フィルタ清掃装置６０にフィルタ４６の清掃を実行させ、それでもエラーが解消しない場合には膨張弁３６の開度調整を実行させ、それでもエラーが解消しない場合に液冷媒発生エラーが発生していると判定する。
【０２０３】
これにより、圧縮機における液冷媒の発生に起因する不具合を防止するとともに、エラー検知が頻発することを防止できる。
【０２０４】
〔実施形態９〕
本発明のさらに他の実施形態について説明する。なお、説明の便宜上、上述した実施形態と同じ機能を有する部材には同じ符号を付し、その説明を省略する。
【０２０５】
本実施形態では、暖房運転中に圧縮機出口における冷媒温度Ｔｄと室内熱交換器２１における冷媒温度Ｔｉとの差ΔＴｈ＝Ｔｄ−Ｔｉが閾値αｈ未満になった場合、および冷房運転中に圧縮機出口における冷媒温度Ｔｄと室外熱交換器３７における冷媒温度Ｔｏとの差ΔＴｃ＝Ｔｄ−Ｔｏが閾値αｃ未満になった場合に、制御部１５０が、室内機２の風量および風向の設定を変更し、それでもΔＴｈ＜αｈあるいはΔＴｃ＜αｃが解消しない場合に液冷媒発生エラー（フィルタエラー）が生じていると判定する。
【０２０６】
なお、本実施形態では、図１９の（ａ）に示すように、室内機２の風量（室内機２の吸込口４１から吸い込まれて吹出口４２から吹き出される空気の流量）を、ユーザが「自動」「リズム」「静音」「微」および「弱」の５種類の中から任意に選択できるようになっている。制御部１５０は、ユーザの風量選択指示に応じて室内機２のファン４５の回転数を制御して室内機２の風量を制御する。
【０２０７】
具体的には、「自動」が選択されている場合、制御部１５０は、室温と設定温度との差などを考慮して風量を自動的に設定する。また、「リズム」が選択されている場合、制御部１５０は、風量を所定時間毎にランダムに切り替える。また、「静音」、「微」、および「弱」は、「静音」＜「微」＜「弱」の順に風量が強くなるように設定されており、制御部１５０は「静音」、「微」、あるいは「弱」が選択されている場合、選択されている設定に対応して予め設定された風量になるようにファン４５の回転数を制御する。
【０２０８】
また、本実施形態では、図１９の（ｂ）に示すように、室内機２から吹き出される空気の上下方向についての風向を、「自動」「ななめ上」「水平」「ななめ下１」「ななめ下２」「下」「スイング」の５種類の中から任意に選択できるようになっている。すなわち、制御部１５０は、ユーザが設定した上下方向の風向に応じて、室内機２の吹出口４２に備えられる図示しない調整板（風向調整部）の向きを制御し、室内機２から吹き出される空気の風向を調整する。
【０２０９】
具体的には、「自動」が選択されている場合、制御部１５０は、上下方向についての風向を自動で設定する。例えば、人感センサ（図示せず）を備え、人感センサの検知結果に応じて制御部１５０が風向を設定するようにしてもよい。また、制御部１５０は、「ななめ上」「水平」「ななめ下１」「ななめ下２」「下」が選択されている場合、風向が選択された方向になるように調整板の角度を調整する。また、「スイング」が選択されている場合、制御部１５０は、調整板の向きをスイングさせて風向を連続的に変化させる。
【０２１０】
また、本実施形態では、図１９の（ｃ）に示すように、室内機２から吹き出される空気の水平方向についての風向を、「自動」「中央」「つつみ込む」「ワイド」「スイング」の５種類の中から任意に選択できるようになっている。すなわち、制御部１５０は、ユーザが設定した水平方向についての風向に応じて、室内機２の吹出口４２に備えられる調整板の向きを制御し、室内機２から吹き出される空気の風向を調整する。
【０２１１】
具体的には、「自動」が選択されている場合、制御部１５０は、水平方向についての風向を自動で設定する。例えば、人感センサ（図示せず）を備え、人感センサの検知結果に応じて制御部１５０が風向を設定するようにしてもよい。また、制御部１５０は、「中央」が選択されている場合、風向が室内機２の正面方向になるように調整板を設定する。また、制御部１５０は、「つつみ込む」が選択されている場合、室内機２の左側から吹き出される風は左側に向けて吹き出された後に正面に向かって曲がるように吹き出し、室内機２の右側から吹き出される風は右側に向けて吹き出された後に正面に向かって曲がるように吹き出すように調整板を設定する。また、制御部１５０は、「ワイド」が選択されている場合、室内機２の左側から吹き出される風は正面に向けて吹き出された後に左側に向かって曲がるように吹き出し、室内機２の右側から吹き出される風は正面に向けて吹き出された後に右側に向かって曲がるように吹き出すように調整板を設定する。また、制御部１５０は、「スイング」が選択されている場合、制御部１５０は、調整板の向きをスイングさせて風向を連続的に変化させる。
【０２１２】
図２０は、本実施形態における制御部１５０による判定処理の流れを示すフローチャートである。
【０２１３】
制御部１５０は、リモコン１４０を介してユーザからの運転開始指示が入力されることを監視しており（Ｓ１）、運転開始指示が入力されると、暖房運転であるのか冷房運転（冷房モードまたは除湿モード）であるのかを判断する（Ｓ２）。
【０２１４】
Ｓ２において暖房運転であると判断した場合、制御部１５０は、圧縮機３１、四方弁３３、ファン４５、膨張弁３６、および室外機ファン３８の動作を制御し、暖房運転を行わせる（Ｓ３）。
【０２１５】
また、制御部１５０は、暖房運転中、圧縮機温度センサ３２および室内熱交換器温度センサ２２の検知結果に基づいて、圧縮機出口における冷媒温度Ｔｄと室内熱交換器２１における冷媒温度Ｔｉとの差であるΔＴｈ＝Ｔｄ−Ｔｉが、閾値αｈ未満になること、すなわちΔＴｈ＜αｈになることを監視する（Ｓ４）。
【０２１６】
一方、Ｓ２において暖房運転ではないと判断した場合、制御部１５０は、圧縮機３１、四方弁３３、ファン４５、膨張弁３６、および室外機ファン３８の動作を制御し、冷房運転を行わせる（Ｓ５）。
【０２１７】
また、制御部１５０は、冷房運転中、圧縮機温度センサ３２および室外熱交換器温度センサ３９の検知結果に基づいて、圧縮機出口における冷媒温度Ｔｄと室外熱交換器３７における冷媒温度Ｔｏとの差であるΔＴｃ＝Ｔｄ−Ｔｏが、閾値αｃ未満になること、すなわちΔＴｃ＜αｃになることを監視する（Ｓ６）。
【０２１８】
そして、Ｓ４においてΔＴｈ＜αｈになった場合、およびＳ６においてΔＴｃ＜αｃになった場合、制御部１５０は、圧縮機３１を停止させ（Ｓ８１）、直近の所定時間内にΔＴｈ＜αｈまたはΔＴｃ＜αｃが検出されてから室内機２の風量設定の変更を行ったか否かを判断する（Ｓ８２）。
【０２１９】
そして、Ｓ８１において風量設定の変更を行っていないと判断した場合、制御部１５０は、室内機２の風量設定をその時点の設定よりも強く設定し（Ｓ８３）、圧縮機を再起動させて（Ｓ８４）、Ｓ２の処理に戻る。例えば、制御部１５０は、Ｓ８３において、室内機２の風両設定を「弱」に変更する。なお、「弱」よりも強い風量設定が可能な場合にはより強い風量設定に変更してもよい。
【０２２０】
一方、Ｓ８１において風量設定の変更をすでに行ったと判断した場合、制御部１５０は、直近の所定時間内にΔＴｈ＜αｈまたはΔＴｃ＜αｃが検出されてから室内機２の風向設定の変更を行ったか否かを判断する（Ｓ８５）。
【０２２１】
そして、Ｓ８５において風向設定の変更を行っていないと判断した場合、制御部１５０は、室内機２の風向設定をその時点の設定よりも室内機２に吸い込まれて室内機２から吹き出される空気流の流動抵抗が小さくなるように設定し（Ｓ８６）、圧縮機を再起動させて（Ｓ８４）、Ｓ２の処理に戻る。例えば、制御部１５０は、Ｓ８６において室内機２の風向設定を、上下方向については「水平」に設定し、水平方向については「中央」に設定する。
【０２２２】
一方、Ｓ８５において風向設定の変更を既に行ったと判断した場合、制御部１５０は、液冷媒発生エラー（フィルタエラー）が生じていると判定し（Ｓ７）、空気調和機１の運転を停止させ（Ｓ８）、処理を終了する。
【０２２３】
以上のように、本実施形態では、制御部１５０が、ΔＴｈ＜αｈ（暖房時）あるいはΔＴｃ＜αｃ（冷房時）になった場合に、室内機２の風量設定および風向設定を空気流量が増す設定になるように変更し、それでもエラーが解消しない場合に液冷媒発生エラーが発生していると判定する。
【０２２４】
これにより、圧縮機における液冷媒の発生に起因する不具合を防止するとともに、エラー検知が頻発することを防止できる。
【０２２５】
なお、風量および／または風向を変更することにより空気調和機１の運転中にΔＴｈ≧αｈ（暖房時）またはΔＴｃ≧αｃ（冷房時）になった場合に、制御部１５０が、変更していた風量および／または風向を元の設定に戻すようにしてもよい。
【０２２６】
また、圧縮機３１の停止時にΔＴｈ≧αｈ（暖房時）またはΔＴｃ≧αｃ（冷房時）になった場合、制御部１５０が、変更していた風量および／または風向を次回起動時に元の設定に戻すようにしてもよい。
【０２２７】
また、本実施形態では、ΔＴｈ＜αｈ（暖房時）あるいはΔＴｃ＜αｃ（冷房時）が生じた場合に、まず風量設定を変更し、それでもΔＴｈ＜αｈ（暖房時）あるいはΔＴｃ＜αｃ（冷房時）が解消しない場合に風向設定を変更しているが、これに限るものではない。例えば、ΔＴｈ＜αｈ（暖房時）あるいはΔＴｃ＜αｃ（冷房時）が生じた場合に、風向設定または風量設定のいずれか一方のみを変更するようにしてもよい。また、ΔＴｈ＜αｈ（暖房時）あるいはΔＴｃ＜αｃ（冷房時）が生じた場合に、まず風向設定を変更し、それでもΔＴｈ＜αｈ（暖房時）あるいはΔＴｃ＜αｃ（冷房時）が解消しない場合に風量設定を変更するようにしてもよい。また、ΔＴｈ＜αｈ（暖房時）あるいはΔＴｃ＜αｃ（冷房時）が生じた場合に、風量設定および風向設定の両方を変更するようにしてもよい。
【０２２８】
〔まとめ〕
本発明の態様１にかかる空気調和機１は、冷媒を圧縮する圧縮機３１と、冷媒と室内空気との熱交換を行う室内熱交換器２１と、冷媒を膨張させる膨張弁３６と、冷媒と室外空気との熱交換を行う室外熱交換器３７とからなる冷媒回路５を有し、前記冷媒を前記圧縮機３１、前記室内熱交換器２１、前記膨張弁３６、前記室外熱交換器３７の順に循環させることで室内空気の暖房を行う暖房機能を備えた空気調和機１であって、暖房時に、前記冷媒の前記圧縮機３１からの吐出温度Ｔｄと前記冷媒の前記室内熱交換器２１の所定位置における温度Ｔｉとの差ΔＴｈに基づいて、前記冷媒が前記圧縮機３１内で液冷媒になる状態である液冷媒発生エラーの発生有無を判定する判定処理を行う制御部１５０を備えていることを特徴としている。
【０２２９】
上記の構成によれば、暖房時に、冷媒の圧縮機３１からの吐出温度Ｔｄと冷媒の室内熱交換器２１の所定位置における温度Ｔｉとの差ΔＴｈに基づいて、冷媒が圧縮機３１内で液冷媒になる状態である液冷媒発生エラーの発生有無を容易かつ適切に判定することができる。これにより、液冷媒に起因する圧縮機構の潤滑不良や潤滑油の流出などの不具合が生じることを防止できる。
【０２３０】
本発明の態様２にかかる空気調和機１は、上記態様１において、前記冷媒回路５における前記冷媒の流れ方向を切り替える方向切替部（四方弁３３）を備え、前記冷媒を前記圧縮機３１、前記室外熱交換器３７、前記膨張弁３６、前記室内熱交換器２１の順に循環させることで室内空気の冷房を行う冷房機能を有し、前記制御部１５０は、冷房時に、前記冷媒の前記圧縮機３１からの吐出温度Ｔｄと前記冷媒の前記室外熱交換器３７の所定位置における温度Ｔｏとの差ΔＴｃに基づいて前記液冷媒発生エラーの発生有無を判定する判定処理を行う構成である。
【０２３１】
上記の構成によれば、冷房時に、冷媒の圧縮機３１からの吐出温度Ｔｄと冷媒の室外熱交換器３７の所定位置における温度Ｔｏとの差ΔＴｃに基づいて、冷媒が圧縮機３１内で液冷媒になる状態である液冷媒発生エラーの発生有無を容易かつ適切に判定することができる。これにより、液冷媒に起因する圧縮機構の潤滑不良や潤滑油の流出などの不具合が生じることを防止できる。
【０２３２】
本発明の態様３にかかる空気調和機１は、冷媒を圧縮する圧縮機３１と、冷媒と室内空気との熱交換を行う室内熱交換器２１と、冷媒を膨張させる膨張弁３６と、冷媒と室外空気との熱交換を行う室外熱交換器３７とからなる冷媒回路５を有し、前記冷媒を前記圧縮機３１、前記室外熱交換器３７、前記膨張弁３６、前記室内熱交換器２１の順に循環させることで室内空気の冷房を行う冷房機能を備えた空気調和機１であって、冷房時に、前記冷媒の前記圧縮機３１からの吐出温度Ｔｄと前記冷媒の前記室外熱交換器３７の所定位置における温度Ｔｏとの差ΔＴｃに基づいて、前記冷媒が前記圧縮機３１内で液冷媒になる状態である液冷媒発生エラーの発生有無を判定する判定処理を行う制御部１５０を備えていることを特徴としている。
【０２３３】
上記の構成によれば、冷房時に、冷媒の圧縮機３１からの吐出温度Ｔｄと冷媒の室外熱交換器３７の所定位置における温度Ｔｏとの差ΔＴｃに基づいて、冷媒が圧縮機３１内で液冷媒になる状態である液冷媒発生エラーの発生有無を容易かつ適切に判定することができる。これにより、液冷媒に起因する圧縮機構の潤滑不良や潤滑油の流出などの不具合が生じることを防止できる。
【０２３４】
本発明の態様４にかかる空気調和機１は、上記態様１または２において、前記制御部１５０は、暖房時、前記圧縮機３１の吐出圧力における前記冷媒の飽和温度である限界吐出圧力飽和温度Ｔｃと前記冷媒の前記室内熱交換器２１の所定位置における温度Ｔｉとの差が所定の暖房時閾値βｈ未満になったときに、前記圧縮機３１による前記冷媒の圧縮を停止させ、前記判定処理を行う構成である。
【０２３５】
上記の構成によれば、液冷媒が発生する状態になる前に圧縮機を停止させることができるので、液冷媒に起因する圧縮機構の潤滑不良や潤滑油の流出などの不具合が生じることを適切に防止できる。
【０２３６】
本発明の態様５にかかる空気調和機１は、上記態様２または３において、前記制御部１５０は、冷房時、前記圧縮機３１の吐出圧力における前記冷媒の飽和温度である限界吐出圧力飽和温度と前記冷媒の前記室外熱交換器３７の所定位置における温度Ｔｏとの差が所定の冷房時閾値βｃ未満になったときに、前記圧縮機３１による前記冷媒の圧縮を停止させ、前記判定処理を行う構成である。
【０２３７】
上記の構成によれば、液冷媒が発生する状態になる前に圧縮機を停止させることができるので、液冷媒に起因する圧縮機構の潤滑不良や潤滑油の流出などの不具合が生じることを適切に防止できる。
【０２３８】
本発明の態様６にかかる空気調和機１は、上記態様１から５のいずれか１において、前記制御部１５０は、予め設定された圧縮機停止条件が生じた場合に前記圧縮機３１による前記冷媒の圧縮を停止させ、前記判定処理を、前記圧縮機３１による前記冷媒の圧縮を停止させたときに行う構成である。
【０２３９】
上記の構成によれば、圧縮機停止条件が生じる毎に液冷媒発生エラーの発生有無を判定することで、液冷媒に起因する圧縮機構の潤滑不良や潤滑油の流出などの不具合が生じることを適切に防止できる。
【０２４０】
本発明の態様７にかかる空気調和機１は、上記態様１から５のいずれかにおいて、前記制御部１５０は、予め設定された圧縮機停止条件が生じた場合に前記圧縮機３１による前記冷媒の圧縮を停止させて再起動させる再起動処理を所定回数行い、前記再起動処理を所定回数行った後、前記圧縮機停止条件が再度生じた場合に、前記判定処理を行う構成である。
【０２４１】
上記の構成によれば、圧縮機の再起動を行っても圧縮機停止条件が繰り返し生じる場合に液冷媒発生エラーの発生有無を判定することで、偶発的な要因により一時的に圧縮機停止条件が生じた場合に液冷媒発生エラーが生じていると誤判定されることを防止するとともに、液冷媒に起因する圧縮機構の潤滑不良や潤滑油の流出などの不具合が生じることを適切に防止できる。
【０２４２】
本発明の態様８にかかる空気調和機１は、上記態様１または２において、前記制御部１５０は、暖房時、前記冷媒の前記圧縮機３１からの吐出温度Ｔｄと前記冷媒の前記室内熱交換器２１の所定位置における温度Ｔｉとの差ΔＴｈが予め定められた暖房時エラー判定閾値αｈ未満である場合に、直近の所定時間以内に前記差ΔＴｈが前記暖房時エラー判定閾値αｈ以上になったか否かを判断し、前記暖房時エラー判定閾値αｈ以上になったと判断した場合には前記判定処理を行わない構成である。
【０２４３】
上記の構成によれば、直近の所定時間以内に冷媒の圧縮機３１からの吐出温度Ｔｄと冷媒の室内熱交換器２１の所定位置における温度Ｔｉとの差ΔＴｈが暖房時エラー判定閾値αｈ以上になった場合には液冷媒発生エラーの発生有無の判定を行わない。これにより、偶発的な要因により一時的に生じた要因によって液冷媒発生エラーが生じていると誤判定されることを防止することができる。
【０２４４】
本発明の態様９にかかる空気調和機は、前記態様において、上記態様２または３において、前記制御部１５０は、冷房時、前記冷媒の前記圧縮機３１からの吐出温度Ｔｄと前記冷媒の前記室外熱交換器３７の所定位置における温度Ｔｏとの差ΔＴｃが予め定められた冷房時エラー判定閾値αｃ未満である場合に、直近の所定時間以内に前記差ΔＴｃが前記冷房時エラー判定閾値αｃ以上になったか否かを判断し、前記冷房時エラー判定閾値αｃ以上になったと判断した場合には前記判定処理を行わない構成である。
【０２４５】
上記の構成によれば、直近の所定時間以内に冷媒の圧縮機３１からの吐出温度Ｔｄと冷媒の室外熱交換器３７の所定位置における温度Ｔｏとの差ΔＴｃが冷房時エラー判定閾値αｃ以上になった場合には液冷媒発生エラーの発生有無の判定を行わない。これにより、偶発的な要因により一時的に生じた要因によって液冷媒発生エラーが生じていると誤判定されることを防止することができる。
【０２４６】
本発明の態様１０にかかる空気調和機１は、前記態様１または２において、前記制御部１５０は、暖房時、前記冷媒の前記圧縮機３１からの吐出温度Ｔｄと前記冷媒の前記室内熱交換器２１の所定位置における温度Ｔｉとの差ΔＴｈが予め定められた暖房時エラー判定閾値αｈ未満になった場合に、前記膨張弁３６の開度を狭くする開度調整処理を行い、前記開度調整処理を所定回数行っても前記差ΔＴｈが前記暖房時エラー判定閾値αｈ未満である場合に、前記液冷媒発生エラーが生じていると判定する構成である。
【０２４７】
上記の構成によれば、膨張弁３６の開度を狭くする開度調整処理を行うことによって液冷媒発生エラーが生じる条件の解消を図り、開度調整処理を所定回数行っても液冷媒発生エラーが生じる条件を解消できなかった場合に液冷媒発生エラーが生じていると判定する。これにより、エラー条件の解消を図るとともに、エラー条件を解消できなかった場合に液冷媒発生エラーが生じていると判定し、液冷媒に起因する圧縮機構の潤滑不良や潤滑油の流出などの不具合が生じることを防止することができる。
【０２４８】
本発明の態様１１にかかる空気調和機１は、前記態様２または３において、前記制御部１５０は、冷房時、前記冷媒の前記圧縮機３１からの吐出温度Ｔｄと前記冷媒の前記室外熱交換器３７の所定位置における温度Ｔｉとの差ΔＴｃが予め定められた冷房時エラー判定閾値αｃ未満になった場合に、前記膨張弁３６の開度を狭くする開度調整処理を行い、前記開度調整処理を所定回数行っても前記差ΔＴｃが前記冷房時エラー判定閾値αｃ未満である場合に、前記液冷媒発生エラーが生じていると判定する構成である。
【０２４９】
上記の構成によれば、膨張弁３６の開度を狭くする開度調整処理を行うことによって液冷媒発生エラーが生じる条件の解消を図り、開度調整処理を所定回数行っても液冷媒発生エラーが生じる条件を解消できなかった場合に液冷媒発生エラーが生じていると判定する。これにより、エラー条件の解消を図るとともに、エラー条件を解消できなかった場合に液冷媒発生エラーが生じていると判定し、液冷媒に起因する圧縮機構の潤滑不良や潤滑油の流出などの不具合が生じることを防止することができる。
【０２５０】
本発明の態様１２にかかる空気調和機１は、前記態様１または２において、室内空気を吸い込む吸込口４１と、前記吸込口４１から吸い込まれた室内空気中の塵芥を除去するフィルタ４６と、前記冷媒と前記フィルタ４６を通過して供給される室内空気との熱交換を行う前記室内熱交換器２１と、前記室内熱交換器２１で熱交換された前記室内空気を室内に吹き出す吹出口４２と、前記吸込口４１から室内空気を吸引して前記吹出口４２から排出させるための空気流を生じさせるファン４５と、前記フィルタ４６の清掃を行うフィルタ清掃装置６０とを備え、前記制御部１５０は、暖房時、前記冷媒の前記圧縮機３１からの吐出温度Ｔｄと前記冷媒の前記室内熱交換器２１の所定位置における温度Ｔｉとの差ΔＴｈが予め定められた暖房時エラー判定閾値αｈ未満になった場合に、前記フィルタ清掃装置６０に前記フィルタ４６の清掃を実行させ、前記フィルタ４６の清掃を行っても前記差ΔＴｈが前記暖房時エラー判定閾値αｈ未満である場合に、前記液冷媒発生エラーが生じていると判定する構成である。
【０２５１】
上記の構成によれば、フィルタ４６の清掃を行うことによって液冷媒発生エラーが生じる条件の解消を図り、フィルタ４６の清掃を行っても液冷媒発生エラーが生じる条件を解消できなかった場合に液冷媒発生エラーが生じていると判定する。これにより、エラー条件の解消を図るとともに、エラー条件を解消できなかった場合に液冷媒発生エラーが生じていると判定し、液冷媒に起因する圧縮機構の潤滑不良や潤滑油の流出などの不具合が生じることを防止することができる。
【０２５２】
本発明の態様１３にかかる空気調和機１は、前記態様２または３において、室内空気を吸い込む吸込口４１と、前記吸込口４１から吸い込まれた室内空気中の塵芥を除去するフィルタ４６と、前記冷媒と前記フィルタ４６を通過して供給される室内空気との熱交換を行う前記室内熱交換器２１と、前記室内熱交換器２１で熱交換された前記室内空気を室内に吹き出す吹出口４２と、前記吸込口４１から室内空気を吸引して前記吹出口４２から排出させるための空気流を生じさせるファン４５と、前記フィルタ４６の清掃を行うフィルタ清掃装置６０とを備え、前記制御部１５０は、冷房時、前記冷媒の前記圧縮機３１からの吐出温度Ｔｄと前記冷媒の前記室外熱交換器３７の所定位置における温度Ｔｏとの差ΔＴｃが予め定められた冷房時エラー判定閾値αｃ未満になった場合に、前記フィルタ清掃装置６０に前記フィルタ４６の清掃を実行させ、前記フィルタ４６の清掃を行っても前記差ΔＴｃが前記冷房時エラー判定閾値αｃ未満である場合に、前記液冷媒発生エラーが生じていると判定する構成である。
【０２５３】
上記の構成によれば、フィルタ４６の清掃を行うことによって液冷媒発生エラーが生じる条件の解消を図り、フィルタ４６の清掃を行っても液冷媒発生エラーが生じる条件を解消できなかった場合に液冷媒発生エラーが生じていると判定する。これにより、エラー条件の解消を図るとともに、エラー条件を解消できなかった場合に液冷媒発生エラーが生じていると判定し、液冷媒に起因する圧縮機構の潤滑不良や潤滑油の流出などの不具合が生じることを防止することができる。
【０２５４】
本発明の態様１４にかかる空気調和機１は、前記態様１または２において、室内空気を吸い込む吸込口４１と、前記冷媒と前記吸込口４１から吸い込まれた室内空気との熱交換を行う前記室内熱交換器２１と、前記室内熱交換器２１で熱交換された室内空気を室内に吹き出す吹出口４２と、前記吸込口４１から室内空気を吸引して前記吹出口４２から排出させるための空気流を生じさせるファン４５とを備え、前記制御部１５０は、暖房時、前記冷媒の前記圧縮機３１からの吐出温度Ｔｄと前記冷媒の前記室内熱交換器２１の所定位置における温度Ｔｉとの差ΔＴｈが予め定められた暖房時エラー判定閾値αｈ未満になった場合に、前記ファン４５の回転数を増加させ、前記ファン４５の回転数を増加させても前記差ΔＴｈが前記暖房時エラー判定閾値αｈ未満である場合に、前記液冷媒発生エラーが生じていると判定する構成である。
【０２５５】
上記の構成によれば、ファン４５の回転数を増加させることで液冷媒発生エラーが生じる条件の解消を図り、ファン４５の回転数を増加させても液冷媒発生エラーが生じる条件を解消できなかった場合に液冷媒発生エラーが生じていると判定する。これにより、エラー条件の解消を図るとともに、エラー条件を解消できなかった場合に液冷媒発生エラーが生じていると判定し、液冷媒に起因する圧縮機構の潤滑不良や潤滑油の流出などの不具合が生じることを防止することができる。
【０２５６】
本発明の態様１５にかかる空気調和機１は、前記態様２または３において、室内空気を吸い込む吸込口４１と、前記冷媒と前記吸込口４１から吸い込まれた室内空気との熱交換を行う前記室内熱交換器２１と、前記室内熱交換器２１で熱交換された室内空気を室内に吹き出す吹出口４２と、前記吸込口４１から室内空気を吸引して前記吹出口４２から排出させるための空気流を生じさせるファン４５とを備え、前記制御部１５０は、冷房時、前記冷媒の前記圧縮機３１からの吐出温度Ｔｄと前記冷媒の前記室外熱交換器３７の所定位置における温度Ｔｏとの差ΔＴｃが予め定められた冷房時エラー判定閾値αｃ未満になった場合に、前記ファン４５の回転数を増加させ、前記ファン４５の回転数を増加させても前記差ΔＴｃが前記冷房時エラー判定閾値αｃ未満である場合に、前記液冷媒発生エラーが生じていると判定する構成である。
【０２５７】
上記の構成によれば、ファン４５の回転数を増加させることで液冷媒発生エラーが生じる条件の解消を図り、ファン４５の回転数を増加させても液冷媒発生エラーが生じる条件を解消できなかった場合に液冷媒発生エラーが生じていると判定する。これにより、エラー条件の解消を図るとともに、エラー条件を解消できなかった場合に液冷媒発生エラーが生じていると判定し、液冷媒に起因する圧縮機構の潤滑不良や潤滑油の流出などの不具合が生じることを防止することができる。
【０２５８】
本発明の態様１６にかかる空気調和機１は、前記態様１または２において、室内空気を吸い込む吸込口４１と、前記冷媒と前記吸込口４１から吸い込まれた室内空気との熱交換を行う前記室内熱交換器２１と、前記室内熱交換器２１で熱交換された室内空気を室内に吹き出す吹出口４２と、前記吸込口４１から室内空気を吸引して前記吹出口４２から排出させるための空気流を生じさせるファン４５と、前記吹出口４２から吹き出される室内空気の風向を調整する風向調整部とを備え、前記制御部１５０は、暖房時、前記冷媒の前記圧縮機３１からの吐出温度Ｔｄと前記冷媒の前記室内熱交換器２１の所定位置における温度Ｔｉとの差ΔＴｈが予め定められた暖房時エラー判定閾値αｈ未満になった場合に、前記風向調整部の動作を制御して前記室内空気の流動抵抗が小さくなるように前記室内空気の風向を調整させ、前記室内空気の風向を調整しても前記差ΔＴｈが前記暖房時エラー判定閾値αｈ未満である場合に、前記液冷媒発生エラーが生じていると判定する構成である。
【０２５９】
上記の構成によれば、吹出口４２から排出される空気の風向を調整することで液冷媒発生エラーが生じる条件の解消を図り、風向を調整しても液冷媒発生エラーが生じる条件を解消できなかった場合に液冷媒発生エラーが生じていると判定する。これにより、エラー条件の解消を図るとともに、エラー条件を解消できなかった場合に液冷媒発生エラーが生じていると判定し、液冷媒に起因する圧縮機構の潤滑不良や潤滑油の流出などの不具合が生じることを防止することができる。
【０２６０】
本発明の態様１７にかかる空気調和機１は、前記態様２または３において、室内空気を吸い込む吸込口４１と、前記冷媒と前記吸込口４１から吸い込まれた室内空気との熱交換を行う前記室内熱交換器２１と、前記室内熱交換器２１で熱交換された室内空気を室内に吹き出す吹出口４２と、前記吸込口４１から室内空気を吸引して前記吹出口４２から排出させるための空気流を生じさせるファン４５と、前記吹出口４２から吹き出される室内空気の風向を調整する風向調整部とを備え、前記制御部１５０は、冷房時、前記冷媒の前記圧縮機３１からの吐出温度Ｔｄと前記冷媒の前記室外熱交換器３７の所定位置における温度Ｔｏとの差ΔＴｃが予め定められた冷房時エラー判定閾値αｃ未満になった場合に、前記風向調整部の動作を制御して前記室内空気の流動抵抗が小さくなるように前記室内空気の風向を調整させ、前記室内空気の風向を調整しても前記差ΔＴｃが前記冷房時エラー判定閾値αｃ未満である場合に、前記液冷媒発生エラーが生じていると判定する構成である。
【０２６１】
上記の構成によれば、吹出口４２から排出される空気の風向を調整することで液冷媒発生エラーが生じる条件の解消を図り、風向を調整しても液冷媒発生エラーが生じる条件を解消できなかった場合に液冷媒発生エラーが生じていると判定する。これにより、エラー条件の解消を図るとともに、エラー条件を解消できなかった場合に液冷媒発生エラーが生じていると判定し、液冷媒に起因する圧縮機構の潤滑不良や潤滑油の流出などの不具合が生じることを防止することができる。
【０２６２】
本発明の態様１８にかかる空気調和機１は、前記態様１から１７のいずれかにおいて、前記液冷媒発生エラーの発生をユーザに報知するための報知部（発光部１３２、表示部１４８）を備え、前記制御部１５０は、前記液冷媒発生エラーが生じていると判定した場合に、前記報知部（発光部１３２、表示部１４８）を制御して前記液冷媒発生エラーの発生をユーザに報知させる構成である。
【０２６３】
上記の構成によれば、液冷媒発生エラーが生じていることをユーザに報知し、必要な処置を行わせることができる。
【０２６４】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することもできる。
【符号の説明】
【０２６５】
１  空気調和機
２  室内機
３  室外機
４  冷媒配管
５  冷媒回路
２１  室内熱交換器
２２  室内熱交換器温度センサ
３１  圧縮機
３２  圧縮機温度センサ
３３  四方弁（方向切替部）
３６  膨張弁
３７  室外熱交換器
３８  室外機ファン
３９  室外熱交換器温度センサ
４１  吸込口
４２  吹出口
４３  表示部
４４  空気通路
４５  ファン
４６  フィルタ
６０  フィルタ清掃装置
１３１  赤外線送受信部
１３２  発光部（報知部）
１４０  リモコン
１４８  表示部（報知部）
１４９  赤外線送受信部
１５０  制御部
αｈ  閾値（暖房時エラー判定閾値）
αｃ  閾値（冷房時エラー判定閾値）
βｈ  閾値（暖房時閾値）
βｃ  閾値（冷房時閾値）
【図１】
2017096543.tif 000003
【図２】
2017096543.tif 000004
【図３】
2017096543.tif 000005
【図４】
2017096543.tif 000006
【図５】
2017096543.tif 000007
【図６】
2017096543.tif 000008
【図７】
2017096543.tif 000009
【図８】
2017096543.tif 000010
【図９】
2017096543.tif 000011
【図１０】
2017096543.tif 000012
【図１１】
2017096543.tif 000013
【図１２】
2017096543.tif 000014
【図１３】
2017096543.tif 000015
【図１４】
2017096543.tif 000016
【図１５】
2017096543.tif 000017
【図１６】
2017096543.tif 000018
【図１７】
2017096543.tif 000019
【図１８】
2017096543.tif 000020
【図１９】
2017096543.tif 000021
【図２０】
2017096543.tif 000022